(57)【要約】【課題】額縁を抑制するとともに、表示動作と表示動作との間に表示を休止する休止期間において走査線のノイズを抑制する、表示装置、表示装置の駆動方法及び電子機器を提供する。【解決手段】表示装置は、第１垂直駆動回路又は第２垂直駆動回路が接続される走査線の垂直駆動回路接続端とは反対側の端部に接続されるスイッチを含み、スイッチは、水平駆動回路が表示動作を休止する休止期間において、第１垂直駆動回路又は第２垂直駆動回路が走査線に与えている電位と同じ電位を走査線に与える。【選択図】図１７
2014167619.tif 000002
【特許請求の範囲】
【請求項１】
複数の画素がマトリックス状配置されている表示領域と、
前記表示領域の外側に位置する額縁領域と、
対応する前記画素に共通の共通電位を与える共通電極と、
前記表示領域において第１の方向に延在する複数の走査線と、
前記表示領域において第２の方向に延在する複数の信号線と、
前記額縁領域において前記第１の方向に前記走査線を挟んで配置され、前記第１の方向に交互に垂直走査パルスを印加して前記表示領域の各前記画素を行単位で選択する、第１垂直駆動回路及び第２垂直駆動回路と、
前記第１垂直駆動回路又は前記第２垂直駆動回路によって選択された行の各画素に対して前記信号線を介して画像信号を供給する表示動作を行う水平駆動回路と、
前記第１垂直駆動回路又は前記第２垂直駆動回路が接続される前記走査線の垂直駆動回路接続端とは反対側の端部に接続される複数のスイッチと、を含み、
前記スイッチは、前記水平駆動回路が前記表示動作を休止する休止期間において、前記第１垂直駆動回路又は前記第２垂直駆動回路が前記走査線に与えている電位と同じ電位を前記走査線に与える、表示装置。
【請求項２】
前記スイッチは、前記スイッチに接続されている走査線に前記垂直走査パルスの下位レベルの電位を供給する、
請求項１に記載の表示装置。
【請求項３】
前記スイッチは、第１垂直駆動回路寄りの複数のスイッチと、第２垂直駆動回路寄りの複数のスイッチとを備え、第１垂直駆動回路寄りの複数のスイッチ毎又は第２垂直駆動回路寄りの複数のスイッチ毎に連動して同時に動作する、
請求項１又は２に記載の表示装置。
【請求項４】
前記休止期間において駆動信号を与えられる駆動電極と、前記駆動電極との間に静電容量を形成するタッチ検出電極と、前記タッチ検出電極からの検出信号に基づき、近接する物体の位置を検出するタッチ検出部と、を含み、前記表示領域に外部から近接する外部近接物体を検出可能なタッチ検出装置をさらに備える、
請求項１から３のいずれか１項に記載の表示装置。
【請求項５】
前記駆動電極は、前記表示動作している間に前記共通電極として各前記画素に共通の共通電位を与える、請求項４に記載の表示装置。
【請求項６】
前記休止期間において、前記共通電極に与えられる共通電位の極性が切り替わる、
請求項１から５のいずれか１項に記載の表示装置。
【請求項７】
複数の画素がマトリックス状配置されている表示領域と、
前記表示領域の外側に位置する額縁領域と、
対応する前記画素に共通の共通電位を与える共通電極と、
前記表示領域において第１の方向に延在する複数の走査線と、
前記表示領域において第２の方向に延在する複数の信号線と、
前記額縁領域において前記第１の方向に前記走査線を挟んで配置され、前記第１の方向に交互に垂直走査パルスを印加して前記表示領域の各前記画素を行単位で選択する、第１垂直駆動回路及び第２垂直駆動回路と、
前記第１垂直駆動回路又は前記第２垂直駆動回路によって選択された行の各画素に対して前記信号線を介して画像信号を供給する表示動作を行う水平駆動回路と、
前記第１垂直駆動回路又は前記第２垂直駆動回路が接続される前記走査線の垂直駆動回路接続端とは反対側の端部に接続される複数のスイッチと、を含む表示装置の駆動方法であって、
前記スイッチが、前記水平駆動回路が前記表示動作を休止する休止期間において、前記第１垂直駆動回路又は前記第２垂直駆動回路が前記走査線に与えている電位と同じ電位を前記走査線に与える、表示装置の駆動方法。
【請求項８】
複数の画素がマトリックス状配置されている表示領域と、
前記表示領域の外側に位置する額縁領域と、
対応する前記画素に共通の共通電位を与える共通電極と、
前記表示領域において第１の方向に延在する複数の走査線と、
前記表示領域において第２の方向に延在する複数の信号線と、
前記額縁領域において前記第１の方向に前記走査線を挟んで配置され、前記第１の方向に交互に垂直走査パルスを印加して前記表示領域の各前記画素を行単位で選択する、第１垂直駆動回路及び第２垂直駆動回路と、
前記第１垂直駆動回路又は前記第２垂直駆動回路によって選択された行の各画素に対して前記信号線を介して画像信号を供給する表示動作を行う水平駆動回路と、
前記第１垂直駆動回路又は前記第２垂直駆動回路が接続される前記走査線の垂直駆動回路接続端とは反対側の端部に接続される複数のスイッチと、を含み、
前記スイッチは、前記水平駆動回路が前記表示動作を休止する休止期間において、前記第１垂直駆動回路又は前記第２垂直駆動回路が前記走査線に与えている電位と同じ電位を前記走査線に与える、表示装置を有する電子機器。
【請求項９】
複数の画素がマトリックス状配置されている表示領域と、
前記表示領域において第１の方向に延在する複数の走査線と、
前記表示領域において第２の方向に延在する複数の信号線と、
前記走査線の第１の端部に接続され、垂直走査パルスを前記第１の端部に印加して前記表示領域の各前記画素を行単位で選択する、垂直駆動回路と、
前記垂直駆動回路によって選択された行の各画素に対して前記信号線を介して画像信号を供給する表示動作を行う水平駆動回路と、
前記走査線の第２の端部に接続される複数のスイッチと、を含み、
前記スイッチは、前記水平駆動回路が前記表示動作を休止する休止期間において、前記垂直駆動回路が前記第１の端部に与えている電位と同じ電位を対応する前記第２の端部に与える、表示装置。
【発明の詳細な説明】
【技術分野】
【０００１】
本発明は、表示装置、表示装置の駆動方法及び電子機器に係り、特に表示動作期間の間に表示を休止する休止期間を有する表示装置、表示装置の駆動方法及び電子機器に関する。
【背景技術】
【０００２】
近年、いわゆるタッチパネルと呼ばれる、外部から近接する外部近接物体を検出可能なタッチ検出装置が注目されている。タッチパネルは、液晶表示装置等の表示装置上に装着又は一体化され、タッチ検出機能付き表示装置に用いられている。そして、タッチ検出機能付き表示装置は、表示装置に各種のボタン画像等を表示させることにより、タッチパネルを通常の機械式ボタンの代わりとして情報入力を可能としている。このようなタッチパネルを有する、タッチ検出機能付き表示装置は、キーボードやマウス、キーパッドなどの入力装置を必要としないため、コンピュータのほか、携帯電話のような携帯情報端末などでも、使用が拡大する傾向にある。
【０００３】
タッチ検出装置の方式として、光学式、抵抗式、静電容量式などいくつかの方式が存在する。静電容量式のタッチ検出装置は、携帯端末などに用いて、比較的単純な構造をもち、かつ低消費電力が実現できる。例えば、特許文献１には、静電容量式のタッチ検出装置が記載されている。
【０００４】
また、静電容量式のタッチ検出装置は、駆動電極とタッチ検出電極との間には静電容量が形成され、この静電容量は外部から近接する外部近接物体に応じて静電容量が変化する。この表示装置は、静電容量の変化を利用して、駆動電極にタッチ検出用の駆動信号を印加したときにタッチ検出電極に現れるタッチ検出信号を解析することにより、外部近接物体を検出する。
【先行技術文献】
【特許文献】
【０００５】
【特許文献１】特開２０１２−０４８２９５号公報
【発明の概要】
【発明が解決しようとする課題】
【０００６】
ところで、表示機能とタッチ検出機能とが一体化されているタッチ検出機能付き表示装置では、例えば、タッチ検出のための動作が、表示に影響を与える可能性がある。これに対し、特許文献１に記載のタッチ検出機能付き表示装置は、表示動作期間とは異なるタッチ検出動作期間、つまり表示動作と表示動作との間に表示を休止する休止期間にタッチ検出するため、タッチ検出しても表示への影響を低減することができる。
【０００７】
しかしながら、駆動電極にタッチ検出用の駆動信号を印加した場合、表示用の共通電極の電位も変化する可能性がある。例えば、表示装置は、表示用の共通電極が、一対のタッチセンサ用電極のうちの一方として兼用され、他方の電極（タッチ検出電極）をこの共通電極と静電容量を有するように配置した場合、表示用の共通電極の電位の変化が大きくなりやすい。このため、表示動作と表示動作との間に表示を休止する休止期間において、表示用の共通電極と走査線との間の容量を介して、表示用の共通電極の電位の変化が走査線のノイズとなり、ノイズがリーク電流を引き起こす可能性がある。
【０００８】
また、タッチ検出機能がない、表示装置も、表示動作と表示動作との間に表示を休止する休止期間において、表示用の共通電極の電位が変化する駆動などの、表示駆動以外の駆動を行うことがある。そして、同様に休止期間において、表示用の共通電極と走査線との間の容量を介して、表示用の共通電極の電位の変化が走査線のノイズとなり、ノイズがリーク電流を引き起こす可能性がある。
【０００９】
表示用の共通電極の電位の変化に対して走査線のノイズの影響を抑制するには、走査線の延在方向に走査線を挟むように配置されている第１ゲートドライバ、第２ゲートドライバが、走査線の両端から、表示領域の各画素を行単位で選択するようにすることが有効である。しかしながら、表示領域に寄与しない額縁に、第１ゲートドライバ、第２ゲートドライバのトランジスタの素子を配置する必要があり、額縁が大きくなってしまう可能性がある。額縁が大きくなると、表示装置は、表示領域のスペースが制限される。このため、表示装置は、第１ゲートドライバ、第２ゲートドライバのトランジスタの素子数を抑制することが要請されている。
【００１０】
本開示は、かかる問題点に鑑みてなされたもので、その目的は、額縁の大きさの増加を抑制するとともに、表示動作と表示動作との間に表示を休止する休止期間において走査線のノイズを抑制する、表示装置、表示装置の駆動方法及び電子機器を提供することにある。
【課題を解決するための手段】
【００１１】
本開示は、複数の画素がマトリックス状配置されている表示領域と、前記表示領域の外側に位置する額縁領域と、対応する前記画素に共通の共通電位を与える共通電極と、前記表示領域において第１の方向に延在する複数の走査線と、前記表示領域において第２の方向に延在する複数の信号線と、前記額縁領域において前記第１の方向に前記走査線を挟んで配置され、前記第１の方向に交互に垂直走査パルスを印加して前記表示領域の各前記画素を行単位で選択する、第１垂直駆動回路及び第２垂直駆動回路と、前記第１垂直駆動回路又は前記第２垂直駆動回路によって選択された行の各画素に対して前記信号線を介して画像信号を供給する表示動作を行う水平駆動回路と、前記第１垂直駆動回路又は前記第２垂直駆動回路が接続される前記走査線の垂直駆動回路接続端とは反対側の端部に接続される複数のスイッチと、を含み、前記スイッチは、前記水平駆動回路が前記表示動作を休止する休止期間において、前記第１垂直駆動回路又は前記第２垂直駆動回路が前記走査線に与えている電位と同じ電位を前記走査線に与える表示装置である。
【００１２】
本開示の電子機器は、上記表示装置を備えたものである。
【００１３】
本開示は、複数の画素がマトリックス状配置されている表示領域と、前記表示領域の外側に位置する額縁領域と、対応する前記画素に共通の共通電位を与える共通電極と、前記表示領域において第１の方向に延在する複数の走査線と、前記表示領域において第２の方向に延在する複数の信号線と、前記額縁領域において前記第１の方向に前記走査線を挟んで配置され、前記第１の方向に交互に垂直走査パルスを印加して前記表示領域の各前記画素を行単位で選択する、第１垂直駆動回路及び第２垂直駆動回路と、前記第１垂直駆動回路又は前記第２垂直駆動回路によって選択された行の各画素に対して前記信号線を介して画像信号を供給する表示動作を行う水平駆動回路と、前記第１垂直駆動回路又は前記第２垂直駆動回路が接続される前記走査線の垂直駆動回路接続端とは反対側の端部に接続される複数のスイッチと、を含む表示装置の駆動方法であって、前記スイッチが、前記水平駆動回路が前記表示動作を休止する休止期間において、前記第１垂直駆動回路又は前記第２垂直駆動回路が前記走査線に与えている電位と同じ電位を前記走査線に与える、表示装置の駆動方法である。
【図面の簡単な説明】
【００１４】
【図１】図１は、本実施形態に係るタッチ検出機能付き表示装置の一構成例を表すブロック図である。
【図２】図２は、静電容量型タッチ検出方式の基本原理を説明するため、指が装置に接触又は近接していない状態を表す説明図である。
【図３】図３は、図２に示す指が装置に接触又は近接していない状態の等価回路の例を示す説明図である。
【図４】図４は、静電容量型タッチ検出方式の基本原理を説明するため、指が装置に接触又は近接した状態を表す説明図である。
【図５】図５は、図４に示す指が装置に接触又は近接した状態の等価回路の例を示す説明図である。
【図６】図６は、駆動信号及びタッチ検出信号の波形の一例を表す図である。
【図７】図７は、本実施形態に係るタッチ検出機能付き表示装置を実装したモジュールの一例を示す図である。
【図８】図８は、本実施形態に係るタッチ検出機能付き表示部の概略断面構造を表す断面図である。
【図９】図９は、本実施形態に係るタッチ検出機能付き表示装置の制御装置の一例を示す図である。
【図１０】図１０は、本実施形態に係るタッチ検出機能付き表示部の画素配列を表す回路図である。
【図１１】図１１は、本実施形態に係るタッチ検出機能付き表示装置を実装したモジュールにおいて、ソースドライバと、信号線との関係を説明する模式図である。
【図１２】図１２は、本実施形態に係るタッチ検出機能付き表示部の駆動電極及びタッチ検出電極の一構成例を表す斜視図である。
【図１３】図１３は、本実施形態に係るタッチ検出機能付き表示装置におけるタッチ検出の動作例を表す模式図である。
【図１４】図１４は、本実施形態に係るタッチ検出機能付き表示装置におけるタッチ検出の動作例を表す模式図である。
【図１５】図１５は、本実施形態に係るタッチ検出機能付き表示装置におけるタッチ検出の動作例を表す模式図である。
【図１６】図１６は、本実施形態に係るタッチ検出機能付き表示装置における表示動作とタッチ検出動作とを説明する説明図である。
【図１７】図１７は、本実施形態に係るスイッチを説明するためのブロック図である。
【図１８】図１８は、本実施形態に係る表示動作期間及び休止期間を説明するためのタイミングチャートである。
【図１９】図１９は、走査線の一例を示す回路図である。
【図２０】図２０は、走査線の一例を示す回路図である。
【図２１】図２１は、本実施形態に係る走査線の一例を示す回路図である。
【図２２】図２２は、本実施形態に係る走査線の電位の変化を説明する説明図である。
【図２３】図２３は、表示装置の共通電極と走査線とのカップリング容量を説明する説明図である。
【図２４】図２４は、変形例に係るタッチ検出機能付き表示部の概略断面構造を表す断面図である。
【図２５】図２５は、本実施形態に係る走査線の電位の変化を説明する説明図である。
【図２６】図２６は、２水平期間の共通電位反転駆動を模式的に説明するための説明図である。
【図２７】図２７は、本実施形態に係るタッチ検出機能付き表示装置又は表示装置を適用する電子機器の一例を示す図である。
【図２８】図２８は、本実施形態に係るタッチ検出機能付き表示装置又は表示装置を適用する電子機器の一例を示す図である。
【図２９】図２９は、本実施形態に係るタッチ検出機能付き表示装置又は表示装置を適用する電子機器の一例を示す図である。
【図３０】図３０は、本実施形態に係るタッチ検出機能付き表示装置又は表示装置を適用する電子機器の一例を示す図である。
【図３１】図３１は、本実施形態に係るタッチ検出機能付き表示装置又は表示装置を適用する電子機器の一例を示す図である。
【図３２】図３２は、本実施形態に係るタッチ検出機能付き表示装置又は表示装置を適用する電子機器の一例を示す図である。
【図３３】図３３は、本実施形態に係るタッチ検出機能付き表示装置又は表示装置を適用する電子機器の一例を示す図である。
【図３４】図３４は、本実施形態に係るタッチ検出機能付き表示装置又は表示装置を適用する電子機器の一例を示す図である。
【図３５】図３５は、本実施形態に係るタッチ検出機能付き表示装置又は表示装置を適用する電子機器の一例を示す図である。
【図３６】図３６は、本実施形態に係るタッチ検出機能付き表示装置又は表示装置を適用する電子機器の一例を示す図である。
【図３７】図３７は、本実施形態に係るタッチ検出機能付き表示装置又は表示装置を適用する電子機器の一例を示す図である。
【図３８】図３８は、本実施形態に係るタッチ検出機能付き表示装置又は表示装置を適用する電子機器の一例を示す図である。
【図３９】図３９は、本実施形態に係るタッチ検出機能付き表示装置又は表示装置を適用する電子機器の一例を示す図である。
【発明を実施するための形態】
【００１５】
本開示を実施するための形態（実施形態）につき、図面を参照しつつ詳細に説明する。以下の実施形態に記載した内容により本開示が限定されるものではない。また、以下に記載した構成要素には、当業者が容易に想定できるもの、実質的に同一のものが含まれる。さらに、以下に記載した構成要素は適宜組み合わせることが可能である。なお、説明は以下の順序で行う。
１．実施形態
１−１．タッチ検出機能付き表示装置
１−２．表示装置
２．適用例（電子機器）
上記実施形態に係る表示装置が電子機器に適用されている例
３．本開示の態様
【００１６】
＜１．実施形態＞
＜１−１．タッチ検出機能付き表示装置＞
［構成例］
（全体構成例）
図１は、本実施形態に係るタッチ検出機能付き表示装置の一構成例を表すブロック図である。タッチ検出機能付き表示装置１は、タッチ検出機能付き表示部１０と、制御部１１と、ゲートドライバ１２と、ソースドライバ１３と、ソースセレクタ部１３Ｓと、駆動電極ドライバ１４と、タッチ検出部４０とを備えている。このタッチ検出機能付き表示装置１は、タッチ検出機能付き表示部１０がタッチ検出機能を内蔵した表示装置である。タッチ検出機能付き表示部１０は、表示素子として液晶表示素子を用いている液晶表示部２０と静電容量型のタッチ検出デバイス３０とを一体化した、装置である。なお、タッチ検出機能付き表示部１０は、表示素子として液晶表示素子を用いている液晶表示部２０の上に、静電容量型のタッチ検出デバイス３０を装着した、装置であってもよい。
【００１７】
液晶表示部２０は、後述するように、ゲートドライバ１２から供給される走査信号Ｖｓｃａｎに従って、１水平ラインずつ順次走査して表示を行うデバイスである。制御部１１は、外部より供給された映像信号Ｖｄｉｓｐに基づいて、ゲートドライバ１２、ソースドライバ１３、駆動電極ドライバ１４、及びタッチ検出部４０に対してそれぞれ制御信号を供給し、これらが互いに同期して動作するように制御する回路である。本開示における制御装置は、制御部１１、ゲートドライバ１２、ソースドライバ１３、駆動電極ドライバ１４を含む。
【００１８】
ゲートドライバ１２は、制御部１１から供給される制御信号に基づいて、タッチ検出機能付き表示部１０の表示駆動の対象となる１水平ラインを順次選択する機能を有している。
【００１９】
ソースドライバ１３は、制御部１１から供給される制御信号に基づいて、タッチ検出機能付き表示部１０の、後述する各画素Ｐｉｘ（副画素ＳＰｉｘ）に画素信号Ｖｐｉｘを供給する回路である。ソースドライバ１３は、後述するように、１水平ライン分の映像信号Ｖｄｉｓｐから、液晶表示部２０の複数の副画素ＳＰｉｘの画素信号Ｖｐｉｘを時分割多重化した画素信号を生成し、ソースセレクタ部１３Ｓに供給する。また、ソースドライバ１３は、画像信号Ｖｓｉｇに多重化された画素信号Ｖｐｉｘを分離するために必要なセレクタスイッチ制御信号Ｖｓｅｌを生成し、画像信号Ｖｓｉｇとともにソースセレクタ部１３Ｓに供給する。なお、この多重化により、ソースドライバ１３とソースセレクタ部１３Ｓとの間の配線数を少なくすることができる。
【００２０】
駆動電極ドライバ１４は、制御部１１から供給される制御信号に基づいて、タッチ検出機能付き表示部１０の、後述する駆動電極ＣＯＭＬにタッチ検出用の駆動信号（以下、タッチ用駆動信号ともいう。）ＶｃｏｍＡＣ、及び表示用の電圧である表示用駆動電圧ＶＣＯＭを供給する回路である。
【００２１】
タッチ検出部４０は、制御部１１から供給される制御信号と、タッチ検出機能付き表示部１０のタッチ検出デバイス３０から供給されたタッチ検出信号Ｖｄｅｔに基づいて、タッチ検出デバイス３０に対するタッチ（上述した接触又は近接の状態）の有無を検出し、タッチがある場合においてタッチ検出領域におけるその座標などを求める回路である。このタッチ検出部４０はタッチ検出信号増幅部４２と、Ａ／Ｄ変換部４３と、信号処理部４４と、座標抽出部４５と、検出タイミング制御部４６とを備えている。
【００２２】
タッチ検出信号増幅部４２は、タッチ検出デバイス３０から供給されるタッチ検出信号Ｖｄｅｔを増幅する。タッチ検出信号増幅部４２は、タッチ検出信号Ｖｄｅｔに含まれる高い周波数成分（ノイズ成分）を除去し、タッチ成分を取り出してそれぞれ出力する低域通過アナログフィルタを備えていてもよい。
【００２３】
（静電容量型タッチ検出の基本原理）
タッチ検出デバイス３０は、静電容量型タッチ検出の基本原理に基づいて動作し、タッチ検出信号Ｖｄｅｔを出力する。図１〜図６を参照して、本実施形態のタッチ検出機能付き表示装置１におけるタッチ検出の基本原理について説明する。図２は、静電容量型タッチ検出の基本原理を説明するため、指が装置に接触又は近接していない状態を表す説明図である。図３は、図２に示す指が装置に接触又は近接していない状態の等価回路の例を示す説明図である。図４は、静電容量型タッチ検出方式の基本原理を説明するため、指が装置に接触又は近接した状態を表す説明図である。図５は、図４に示す指が装置に接触又は近接した状態の等価回路の例を示す説明図である。図６は、駆動信号及びタッチ検出信号の波形の一例を表す図である。
【００２４】
例えば、図２に示すように、容量素子Ｃ１は、誘電体Ｄを挟んで互いに対向配置された一対の電極、駆動電極Ｅ１及びタッチ検出電極Ｅ２を備えている。図３に示すように、容量素子Ｃ１は、その一端が交流信号源（駆動信号源）Ｓに接続され、他端は電圧検出器（タッチ検出部）ＤＥＴに接続される。電圧検出器ＤＥＴは、例えば図１に示すタッチ検出信号増幅部４２に含まれる積分回路である。
【００２５】
交流信号源Ｓから駆動電極Ｅ１（容量素子Ｃ１の一端）に所定の周波数（例えば数ｋＨｚ〜数百ｋＨｚ程度）の交流矩形波Ｓｇを印加すると、タッチ検出電極Ｅ２（容量素子Ｃ１の他端）側に接続された電圧検出器ＤＥＴを介して、出力波形（タッチ検出信号Ｖｄｅｔ）が現れる。なお、この交流矩形波Ｓｇは、駆動信号ＶｃｏｍＡＣに相当するものである。
【００２６】
指が装置に接触（又は近接）していない状態（非接触状態）では、図２及び図３に示すように、容量素子Ｃ１に対する充放電に伴って、容量素子Ｃ１の容量値に応じた電流Ｉ０が流れる。図６に示すように電圧検出器ＤＥＴは、交流矩形波Ｓｇに応じた電流Ｉ０の変動を電圧の変動（実線の波形Ｖ０）に変換する。
【００２７】
一方、指が装置に接触（又は近接）した状態（接触状態）では、図４に示すように、指によって形成される静電容量Ｃ２がタッチ検出電極Ｅ２と接している又は近傍にあることにより、駆動電極Ｅ１及びタッチ検出電極Ｅ２の間にあるフリンジ分の静電容量が遮られ、容量素子Ｃ１は、より容量値の小さい容量素子Ｃ１’として作用する。そして、図５に示す等価回路でみると、容量素子Ｃ１’に電流Ｉ１が流れる。図６に示すように、電圧検出器ＤＥＴは、交流矩形波Ｓｇに応じた電流Ｉ１の変動を電圧の変動（点線の波形Ｖ１）に変換する。この場合、波形Ｖ１は、上述した波形Ｖ０と比べて振幅が小さくなる。これにより、波形Ｖ０と波形Ｖ１との電圧差分の絶対値｜ΔＶ｜は、指などの外部から近接する物体の影響に応じて変化することになる。なお、電圧検出器ＤＥＴは、波形Ｖ０と波形Ｖ１との電圧差分の絶対値｜ΔＶ｜を精度よく検出するため、回路内のスイッチングにより、交流矩形波Ｓｇの周波数に合わせて、コンデンサの充放電をリセットする期間Ｒｅｓｅｔを設けた動作とすることがより好ましい。
【００２８】
図１に示すタッチ検出デバイス３０は、駆動電極ドライバ１４から供給される駆動信号Ｖｃｏｍ（駆動信号ＶｃｏｍＡＣ）に従って、１検出ブロックずつ順次走査してタッチ検出を行うようになっている。
【００２９】
タッチ検出デバイス３０は、複数の後述するタッチ検出電極ＴＤＬから、図３及び図５に示す電圧検出器ＤＥＴを介して、検出ブロック毎にタッチ検出信号Ｖｄｅｔを出力し、タッチ検出部４０のＡ／Ｄ変換部４３に供給するようになっている。
【００３０】
Ａ／Ｄ変換部４３は、駆動信号ＶｃｏｍＡＣに同期したタイミングで、タッチ検出信号増幅部４２から出力されるアナログ信号をそれぞれサンプリングしてデジタル信号に変換する回路である。
【００３１】
信号処理部４４は、Ａ／Ｄ変換部４３の出力信号に含まれる、駆動信号ＶｃｏｍＡＣをサンプリングした周波数以外の周波数成分（ノイズ成分）を低減するデジタルフィルタを備えている。信号処理部４４は、Ａ／Ｄ変換部４３の出力信号に基づいて、タッチ検出デバイス３０に対するタッチの有無を検出する論理回路である。信号処理部４４は、指による電圧の差分のみ取り出す処理を行う。この指による電圧の差分は、上述した波形Ｖ０と波形Ｖ１との差分の絶対値｜ΔＶ｜である。信号処理部４４は、１検出ブロック当たりの絶対値｜ΔＶ｜を平均化する演算を行い、絶対値｜ΔＶ｜の平均値を求めてもよい。これにより、信号処理部４４は、ノイズによる影響を低減できる。信号処理部４４は、検出した指による電圧の差分を所定のしきい値電圧と比較し、電圧の差分がしきい値電圧以上であれば、外部近接物体が接触状態にあると判断する。一方、信号処理部４４は、差分の電圧がしきい値電圧未満であれば、外部近接物体が非接触状態にあると判断する。このようにして、タッチ検出部４０はタッチ検出が可能となる。
【００３２】
座標抽出部４５は、信号処理部４４においてタッチが検出されたときに、そのタッチパネル座標を求める論理回路である。検出タイミング制御部４６は、Ａ／Ｄ変換部４３と、信号処理部４４と、座標抽出部４５とが同期して動作するように制御する。座標抽出部４５は、タッチパネル座標を信号出力Ｖｏｕｔとして出力する。
【００３３】
（モジュール）
図７は、本実施形態に係るタッチ検出機能付き表示装置を実装したモジュールの一例を示す図である。図７に示すように、タッチ検出機能付き表示装置１は、画素基板２（ＴＦＴ基板２１）と、フレキシブルプリント基板Ｔとを備えている。画素基板２（ＴＦＴ基板２１）は、ＣＯＧ（Chip  On  Glass）１９を搭載し、液晶表示部２０の表示領域Ａｄと、額縁Ｇｄとが形成されている。ＣＯＧ１９は、ＴＦＴ基板２１に実装されたＩＣドライバのチップであり、図１に示した制御部１１、ソースドライバ１３など、表示動作に必要な各回路を内蔵した制御装置である。本実施形態では、上述したソースドライバ１３及びソースセレクタ部１３Ｓは、ＴＦＴ基板２１上に形成されている。ソースドライバ１３及びソースセレクタ部１３Ｓは、ＣＯＧ１９に内蔵されていてもよい。また、駆動電極ドライバ１４の一部である、駆動電極走査部１４Ａ、１４Ｂは、ＴＦＴ基板２１に形成されている。また、ゲートドライバ１２は、ゲートドライバ１２Ａ及び１２Ｂとして、ＴＦＴ基板２１に形成されている。また、タッチ検出機能付き表示装置１は、ＣＯＧ１９に駆動電極走査部１４Ａ及び１４Ｂ、ゲートドライバ１２などの回路を内蔵してもよい。
【００３４】
図７に示すように、ＴＦＴ基板２１の表面に対する垂直方向において、駆動電極ＣＯＭＬの駆動電極ブロックＢと、タッチ検出電極ＴＤＬとは、立体交差するように形成されている。
【００３５】
また、駆動電極ＣＯＭＬは、一方向に延在する複数のストライプ状の電極パターンに分割されている。タッチ検出動作を行う際は、各電極パターンには、駆動電極ドライバ１４によって駆動信号ＶｃｏｍＡＣが順次供給される。駆動電極ＣＯＭＬの複数のストライプ状の電極パターンのうち、同時に駆動信号ＶｃｏｍＡＣが供給される電極パターンが図７に示す１つの駆動電極ブロックＢに対応する。駆動電極ブロックＢ（駆動電極ＣＯＭＬ）は、タッチ検出機能付き表示部１０の第１の辺に沿う方向に延在し、タッチ検出電極ＴＤＬは、タッチ検出機能付き表示部１０の第２の辺に沿う方向に延在する。第１の辺と第２の辺は、それぞれ異なる方向に延びている。タッチ検出電極ＴＤＬの出力部は、例えばタッチ検出機能付き表示部１０の第２の辺に近い端部に設けられ、フレキシブルプリント基板Ｔを介して、フレキシブルプリント基板Ｔに実装されたタッチ検出部４０と接続されている。このように、タッチ検出部４０は、フレキシブルプリント基板Ｔ上に実装され、並設された複数のタッチ検出電極ＴＤＬのそれぞれと接続されている。フレキシブルプリント基板Ｔは、端子であればよく、フレキシブルプリント基板に限られず、この場合、モジュールの外部にタッチ検出部４０が備えられる。
【００３６】
後述する駆動信号生成部は、ＣＯＧ１９に内蔵されている。ソースセレクタ部１３Ｓは、ＴＦＴ基板２１上の表示領域Ａｄの近傍に、ＴＦＴ素子を用いて形成されている。表示領域Ａｄには、後述する画素Ｐｉｘ（副画素ＳＰｉｘ）がマトリックス状（行列状）に多数配置されている。額縁Ｇｄは、ＴＦＴ基板２１の表面を垂直な方向からみて画素Ｐｉｘが配置されていない領域である。ゲートドライバ１２と、駆動電極ドライバ１４のうち駆動電極走査部１４Ａ及び１４Ｂとは、額縁Ｇｄに配置されている。
【００３７】
ゲートドライバ１２は、ゲートドライバ１２Ａ及び１２Ｂを備え、ＴＦＴ基板２１上に複数のＴＦＴ素子を用いて形成されている。ゲートドライバ１２Ａ及び１２Ｂは、表示領域Ａｄを、表示領域Ａｄを挟んで対面している方向（走査方向）に、交互に一方側から駆動することができるようになっている。以下の説明では、ゲートドライバ１２Ａを第１ゲートドライバ１２Ａとし、ゲートドライバ１２Ｂを第２ゲートドライバ１２Ｂとする。また、後述する走査線ＧＣＬは、第１ゲートドライバ１２Ａ、第２ゲートドライバ１２Ｂとの間に配列する。このため、走査線ＧＣＬは、ＴＦＴ基板２１の表面に対する垂直方向において、駆動電極ＣＯＭＬの延在方向と平行な方向に延びるように設けられている。
【００３８】
駆動電極走査部１４Ａ及び１４Ｂは、ＴＦＴ基板２１上にＴＦＴ素子を用いて形成されている。駆動電極走査部１４Ａ及び１４Ｂは、駆動信号生成部から、表示用配線ＬＤＣを介して、表示用駆動電圧ＶＣＯＭの供給を受けるとともに、タッチ用配線ＬＡＣを介して駆動信号ＶｃｏｍＡＣの供給を受ける。駆動電極走査部１４Ａ及び１４Ｂは、額縁Ｇｄにおいて、それぞれ、一定の幅Ｇｄｖを占める。そして、駆動電極走査部１４Ａ及び１４Ｂは、並設された複数の駆動電極ブロックＢのそれぞれを、両側から駆動することができるようになっている。表示用駆動電圧ＶＣＯＭを供給する表示用配線ＬＤＣと、タッチ用駆動信号ＶｃｏｍＡＣを供給するタッチ用配線ＬＡＣとは、並列に、それぞれの額縁Ｇｄに配置されている。表示用配線ＬＤＣは、タッチ用配線ＬＡＣよりも表示領域Ａｄ側に配置されている。この構造により、表示用配線ＬＤＣにより供給される表示用駆動電圧ＶＣＯＭが、表示領域Ａｄの端部の電位状態を安定させる。このため、特に、横電界モードの液晶を用いた液晶表示部において、表示が安定する。
【００３９】
図７に示すタッチ検出機能付き表示装置１は、タッチ検出信号Ｖｄｅｔを、タッチ検出機能付き表示部１０の一方の辺側から出力する。これにより、タッチ検出機能付き表示装置１は、端子部であるフレキシブルプリント基板Ｔを介してタッチ検出機能付き表示部１０をタッチ検出部４０に接続する際の配線の引き回しが容易になる。
【００４０】
（タッチ検出機能付き表示部）
次に、タッチ検出機能付き表示部１０の構成例を詳細に説明する。図８は、本実施形態に係るタッチ検出機能付き表示部の概略断面構造を表す断面図である。図９は、本実施形態に係るタッチ検出機能付き表示装置の制御装置の一例を示す図である。図１０は、本実施形態に係るタッチ検出機能付き表示部の画素配列を表す回路図である。
【００４１】
図８に示すように、タッチ検出機能付き表示部１０は、画素基板２と、この画素基板２の表面に垂直な方向に対向して配置された対向基板３と、画素基板２と対向基板３との間に挿設された液晶層６とを備えている。
【００４２】
液晶層６は、電界の状態に応じてそこを通過する光を変調するものであり、例えば、ＦＦＳ（フリンジフィールドスイッチング）モード又はＩＰＳ（インプレーンスイッチング）モード等の横電界モードの液晶が液晶層６として用いられる。なお、図８に示す液晶層６と画素基板２との間、及び液晶層６と対向基板３との間には、それぞれ配向膜が配設されてもよい。
【００４３】
また、対向基板３は、ガラス基板３１と、このガラス基板３１の一方の面に形成されたカラーフィルタ３２とを含む。ガラス基板３１の他方の面には、タッチ検出デバイス３０の検出電極であるタッチ検出電極ＴＤＬが形成され、さらに、このタッチ検出電極ＴＤＬの上には、偏光板３５が配設されている。
【００４４】
画素基板２は、回路基板としてのＴＦＴ基板２１と、このＴＦＴ基板２１上にマトリックス状に配設された複数の画素電極２２と、ＴＦＴ基板２１及び画素電極２２の間に形成された複数の駆動電極ＣＯＭＬと、画素電極２２と駆動電極ＣＯＭＬとを絶縁する絶縁層２４と、を含む。
【００４５】
（表示装置のシステム構成例）
画素基板２は、ＴＦＴ基板２１上に、表示領域Ａｄと、インターフェース（Ｉ／Ｆ）及びタイミングジェネレータの機能を備えるＣＯＧ１９と、第１ゲートドライバ１２Ａ、第２ゲートドライバ１２Ｂ及びソースドライバ１３とを備えている。図７に示すフレキシブルプリント基板Ｔは、ＣＯＧ１９への外部信号及びはＣＯＧ１９を駆動する駆動電力を伝送する。画素基板２は、表示領域Ａｄと、ソースドライバ（水平駆動回路）１３と、ゲートドライバ（垂直駆動回路）１２Ａ及び１２Ｂと、を備えている。表示領域Ａｄは、透明絶縁基板（例えばガラス基板）のＴＦＴ基板２１の表面に設けられ、表示領域Ａｄには、液晶素子を含む副画素（画素）がマトリックス状（行列状）に多数配置される。ゲートドライバ（垂直駆動回路）１２Ａ及び１２Ｂは、第１ゲートドライバ１２Ａ及び第２ゲートドライバ１２Ｂとして、表示領域Ａｄを挟むように配置されている。
【００４６】
表示領域Ａｄは、液晶素子を含む副画素ＳＰｉｘが、Ｍ行×Ｎ列に配置されたマトリックス（行列状）構造を有している。なお、この明細書において、行とは、一方向に配列されるＮ個の副画素ＳＰｉｘを有する画素行をいう。また、列とは、行において副画素ＳＰｉｘが配列される方向と直交する方向に配列されるＭ個の副画素ＳＰｉｘを有する画素列をいう。そして、ＭとＮとの値は、垂直方向の表示解像度と水平方向の表示解像度に応じて定まる。副画素ＳＰｉｘのＭ行Ｎ列の配列である表示領域Ａｄでは、行毎に走査線ＧＣＬ１、ＧＣＬ２、ＧＣＬ３・・・ＧＣＬＭが配線され、列毎に信号線ＳＧＬ１、ＳＧＬ２、ＳＧＬ３、ＳＧＬ４、ＳＧＬ５・・・ＳＧＬＮが配線されている。以後、実施形態においては、走査線ＧＣＬ１、ＧＣＬ２、ＧＣＬ３・・・を代表して走査線ＧＣＬのように表記し、信号線ＳＧＬ１、ＳＧＬ２、ＳＧＬ３、ＳＧＬ４、ＳＧＬ５・・・を代表して信号線ＳＧＬのように表記することがある。また、本実施の形態においては、走査線ＧＣＬ１、ＧＣＬ２、・・・ＧＣＬＭのうちの任意の３本の走査線を、走査線ＧＣＬｍ、ＧＣＬｍ＋１、ＧＣＬｍ＋２（ただし、ｍは、ｍ≦Ｍ−２を満たす自然数）のように表記し、信号線ＳＧＬ１、ＳＧＬ２、・・・ＳＧＬＮのうちの任意の３本の信号線を、信号線ＳＧＬｎ、ＳＧＬｎ＋１、ＳＧＬｎ＋２（ただし、ｎは、ｎ≦Ｎ−２を満たす自然数）のように表記することもある。
【００４７】
画素基板２には、外部から外部信号である、マスタークロック、水平同期信号及び垂直同期信号が入力され、ＣＯＧ１９に与えられる。ＣＯＧ１９は、外部電源の電圧振幅のマスタークロック、水平同期信号及び垂直同期信号を、液晶の駆動に必要な内部電源の電圧振幅にレベル変換（昇圧）し、変換した信号を、マスタークロック、水平同期信号及び垂直同期信号としてタイミングジェネレータに供給する。こうして、ＣＯＧ１９は、垂直スタートパルスＶＳＴ、垂直クロックパルスＶＣＫ、スイッチ制御信号ＧＣＫ、水平スタートパルスＨＳＴ及び水平クロックパルスＨＣＫを生成する。ＣＯＧ１９は、垂直スタートパルスＶＳＴ、垂直クロックパルスＶＣＫ、スイッチ制御信号ＧＣＫを第１ゲートドライバ１２Ａ、第２ゲートドライバ１２Ｂに与えるとともに、水平スタートパルスＨＳＴ及び水平クロックパルスＨＣＫをソースドライバ１３に与える。ＣＯＧ１９は、副画素ＳＰｉｘ毎の画素電極に対して各画素共通に与えられ、共通電位とよばれる表示用駆動電圧ＶＣＯＭを生成して上述した駆動電極ＣＯＭＬに与える。
【００４８】
第１ゲートドライバ１２Ａ及び第２ゲートドライバ１２Ｂは、図１７に示すように、転送回路６１と、バッファー回路６２とを含む。転送回路６１は、シフトレジスタを構成し、さらにラッチ回路等を含んでもよい。第１ゲートドライバ１２Ａ及び第２ゲートドライバ１２Ｂは、上述した垂直スタートパルスＶＳＴと垂直クロックパルスＶＣＫとから垂直走査パルスを生成し、走査線ＧＣＬに与えることによって副画素ＳＰｉｘを行単位で順次選択する。第１ゲートドライバ１２Ａ及び第２ゲートドライバ１２Ｂは、走査線ＧＣＬの延在方向に走査線ＧＣＬを挟むように配置されている。第１ゲートドライバ１２Ａ及び第２ゲートドライバ１２Ｂは、表示領域Ａｄの上側、すなわち垂直走査方向の開始側から、表示領域Ａｄの下側、すなわち垂直走査方向の終了側へ順に垂直走査パルスを出力する。第１ゲートドライバ１２Ａ及び第２ゲートドライバ１２Ｂは、走査線ＧＣＬが配列されている方向（走査方向）に交互に垂直走査パルスを印加して表示領域Ａｄの各副画素ＳＰｉｘを行単位で選択する。そして、第１ゲートドライバ１２Ａと、第２ゲートドライバ１２Ｂとは、走査線ＧＣＬの長手方向の端部に配置され、１行おきの走査線ＧＣＬに交互に垂直走査パルスを印加して表示領域Ａｄの各画素を行単位で選択する。第１ゲートドライバ１２Ａ及び第２ゲートドライバ１２Ｂのそれぞれは、走査線ＧＣＬの長手方向の一方の端部に接続されているだけなので、走査線ＧＣＬの長手方向の両端部に接続されている場合と比較して、トランジスタの素子数を抑制することができる。これにより、タッチ検出機能付き表示装置１は、上述した額縁Ｇｄの領域を抑制することができる。
【００４９】
ソースドライバ１３には、例えば６ビットのＲ（赤）、Ｇ（緑）、Ｂ（青）のデジタル画像信号Ｖｓｉｇが与えられる。ソースドライバ１３は、第１ゲートドライバ１２Ａ、第２ゲートドライバ１２Ｂによる垂直走査によって選択された行の各副画素ＳＰｉｘに対して、画素毎に、もしくは複数画素毎に、あるいは全画素一斉に、信号線ＳＧＬを介して表示データを書き込む。
【００５０】
ＴＦＴ基板２１には、図１０に示す各副画素ＳＰｉｘの薄膜トランジスタ（ＴＦＴ；Thin  Film  Transistor）素子Ｔｒ、図９及び図１０に示す各画素電極２２に画素信号Ｖｐｉｘを供給する信号線ＳＧＬ、各ＴＦＴ素子Ｔｒを駆動する走査線ＧＣＬ等の配線が形成されている。このように、信号線ＳＧＬは、ＴＦＴ基板２１の表面と平行な平面に延在し、画素に画像を表示するための画素信号Ｖｐｉｘを供給する。図１０に示す液晶表示部２０は、マトリックス状に配列した複数の副画素ＳＰｉｘを有している。それぞれの副画素ＳＰｉｘは、ＴＦＴ素子Ｔｒ及び液晶素子ＬＣを備えている。ＴＦＴ素子Ｔｒは、薄膜トランジスタにより構成されるものであり、この例では、ｎチャネルのＭＯＳ（Metal  Oxide  Semiconductor）型のＴＦＴで構成されている。なお、ＴＦＴ素子Ｔｒは、ｐチャネル型ＴＦＴやＣＭＯＳ-ＴＦＴであってもよい。ＴＦＴ素子Ｔｒのソース又はドレインの一方は信号線ＳＧＬに接続され、ゲートは走査線ＧＣＬに接続され、ソース又はドレインの他方は液晶素子ＬＣの一端に接続されている。液晶素子ＬＣは、例えば、一端がＴＦＴ素子Ｔｒのドレインに接続され、他端が駆動電極ＣＯＭＬに接続されている。
【００５１】
図９に示す第１ゲートドライバ１２Ａ及び第２ゲートドライバ１２Ｂは、垂直走査パルスを、図１０に示す走査線ＧＣＬを介して、副画素ＳＰｉｘのＴＦＴ素子Ｔｒのゲートに印加することにより、表示領域Ａｄにマトリックス状に形成されている副画素ＳＰｉｘのうちの１行（１水平ライン）を表示駆動の対象として順次選択する。ソースドライバ１３は、画素信号Ｖｐｉｘを、信号線ＳＧＬを介して、第１ゲートドライバ１２Ａ及び第２ゲートドライバ１２Ｂにより順次選択される１水平ラインに含まれる各副画素ＳＰｉｘにそれぞれ供給する。そして、これらの副画素ＳＰｉｘでは、供給される画素信号Ｖｐｉｘに応じて、１水平ラインの表示が行われるようになっている。駆動電極ドライバ１４は、表示用の駆動信号（表示用駆動電圧ＶＣＯＭ）を印加して、駆動電極ＣＯＭＬを駆動する。
【００５２】
上述したように、タッチ検出機能付き表示装置１では、第１ゲートドライバ１２Ａ及び第２ゲートドライバ１２Ｂが走査線ＧＣＬｍ、ＧＣＬｍ＋１、ＧＣＬｍ＋２を順次走査するように駆動することにより、１水平ラインが順次選択される。また、タッチ検出機能付き表示装置１は、１水平ラインに属する副画素ＳＰｉｘに対して、ソースドライバ１３が画素信号Ｖｐｉｘを供給することにより、１水平ラインずつ表示が行われる。この表示動作を行う際、駆動電極ドライバ１４は、その１水平ラインに対応する駆動電極ＣＯＭＬに対して駆動信号Ｖｃｏｍを印加するようになっている。
【００５３】
図８に示すカラーフィルタ３２は、例えば赤（Ｒ）、緑（Ｇ）、青（Ｂ）の３色に着色されたカラーフィルタの色領域を周期的に配列して、Ｒ、Ｇ、Ｂの３色の色領域３２Ｒ、３２Ｇ、３２Ｂ（図１０参照）が１組として画素Ｐｉｘに対応するように、図１０に示す各副画素ＳＰｉｘに対応付けられている。カラーフィルタ３２は、ＴＦＴ基板２１と垂直な方向において、液晶層６と対向する。このように、副画素ＳＰｉｘは、単色の色表示を行うことができる。なお、カラーフィルタ３２は、異なる色に着色されていれば、他の色の組み合わせであってもよい。また、カラーフィルタ３２は、なくてもよい。カラーフィルタ３２が存在しない領域、すなわち透明な副画素ＳＰｉｘがあってもよい。
【００５４】
図１０に示す副画素ＳＰｉｘは、走査線ＧＣＬにより、液晶表示部２０の同じ行に属する他の副画素ＳＰｉｘと互いに接続されている。走査線ＧＣＬは、ゲートドライバ１２と接続され、ゲートドライバ１２より走査信号Ｖｓｃａｎが供給される。また、副画素ＳＰｉｘは、信号線ＳＧＬにより、液晶表示部２０の同じ列に属する他の副画素ＳＰｉｘと互いに接続されている。信号線ＳＧＬは、ソースドライバ１３と接続され、ソースドライバ１３より画素信号Ｖｐｉｘが供給される。
【００５５】
図１１は、本実施形態に係るタッチ検出機能付き表示装置を実装したモジュールにおいて、ソースドライバと、信号線との関係を説明する模式図である。図１１に示すように、タッチ検出機能付き表示装置１は、信号線ＳＧＬが、ソースセレクタ部１３Ｓを介して上述したＣＯＧ１９に内蔵したソースドライバ１３に接続されている。ソースセレクタ部１３Ｓは、セレクタスイッチ制御信号Ｖｓｅｌに応じて開閉動作する。
【００５６】
図１１に示すように、ソースドライバ１３は、制御部１１から供給される画像信号Ｖｓｉｇ及びソースドライバ制御信号に基づいて、画素信号Ｖｐｉｘを生成し出力する。ソースドライバ１３は、１水平ライン分の画像信号Ｖｓｉｇから、タッチ検出機能付き表示部１０の液晶表示部２０の複数（この例では３つ）の副画素ＳＰｉｘの画素信号Ｖｐｉｘを時分割多重した画素信号を生成し、多重化された画素信号（画像信号Ｖｓｉｇ）をソースセレクタ部１３Ｓに供給する。また、ソースドライバ１３は、それぞれの画像信号Ｖｓｉｇに多重化された画素信号Ｖｐｉｘを分離するために必要なセレクタスイッチ制御信号Ｖｓｅｌ（ＶｓｅｌＲ、ＶｓｅｌＧ、ＶｓｅｌＢ）を生成し、画像信号Ｖｓｉｇとともにソースセレクタ部１３Ｓに供給する。この多重化により、ソースドライバ１３とソースセレクタ部１３Ｓとの間の配線数が少なくなる。
【００５７】
ソースセレクタ部１３Ｓは、ソースドライバ１３から供給された画像信号Ｖｓｉｇ及びセレクタスイッチ制御信号Ｖｓｅｌに基づいて、それぞれの画像信号Ｖｓｉｇに時分割多重された画素信号Ｖｐｉｘを分離し、タッチ検出機能付き表示部１０の液晶表示部２０に供給する。
【００５８】
ソースセレクタ部１３Ｓは、例えば、３つのスイッチＳＷＲ、ＳＷＧ、ＳＷＢを備え、３つのスイッチＳＷＲ、ＳＷＧ、ＳＷＢの各一端は互いに接続されソースドライバ１３から画像信号Ｖｓｉｇが供給される。３つのスイッチＳＷＲ、ＳＷＧ、ＳＷＢの各他端はタッチ検出機能付き表示部１０の液晶表示部２０の信号線ＳＧＬを介して、副画素ＳＰｉｘにそれぞれ接続されている。３つのスイッチＳＷＲ、ＳＷＧ、ＳＷＢは、ソースドライバ１３から供給されたセレクタスイッチ制御信号Ｖｓｅｌ（ＶｓｅｌＲ、ＶｓｅｌＧ、ＶｓｅｌＢ）によってそれぞれ開閉制御される。この構成により、ソースセレクタ部１３Ｓは、セレクタスイッチ制御信号Ｖｓｅｌに応じて、スイッチＳＷＲ、ＳＷＧ、ＳＷＢを時分割的に順次切り替えてオン（ＯＮ）状態にすることができる。これにより、ソースセレクタ部１３Ｓは、多重化された画像信号Ｖｓｉｇから画素信号Ｖｐｉｘ（ＶｐｉｘＲ、ＶｐｉｘＧ、ＶｐｉｘＢ）を分離する。そして、ソースセレクタ部１３Ｓは、画素信号Ｖｐｉｘを、３つの副画素ＳＰｉｘにそれぞれ供給する。赤（Ｒ）、緑（Ｇ）、青（Ｂ）の３色に着色された色領域３２Ｒ、３２Ｇ、３２Ｂが、副画素ＳＰｉｘにそれぞれ対応付けられている。このため、色領域３２Ｒに対応する副画素ＳＰｉｘには、画素信号ＶｐｉｘＲが供給される。色領域３２Ｇに対応する副画素ＳＰｉｘには、画素信号ＶｐｉｘＧが供給される。色領域３２Ｂに対応する副画素ＳＰｉｘには、画素信号ＶｐｉｘＢが供給される。
【００５９】
副画素ＳＰｉｘは、駆動電極ＣＯＭＬにより、液晶表示部２０の同じ行に属する他の副画素ＳＰｉｘと互いに接続されている。駆動電極ＣＯＭＬは、駆動電極ドライバ１４と接続され、駆動電極ドライバ１４より表示用駆動電圧ＶＣＯＭが供給される。つまり、この例では、同じ一行に属する複数の副画素ＳＰｉｘが駆動電極ＣＯＭＬを共有するようになっている。
【００６０】
図１に示すゲートドライバ１２は、走査信号Ｖｓｃａｎを、図１０に示す走査線ＧＣＬを介して、副画素ＳＰｉｘのＴＦＴ素子Ｔｒのゲートに印加することにより、液晶表示部２０にマトリックス状に形成されている副画素ＳＰｉｘのうちの１行（１水平ライン）を表示駆動の対象として順次選択する。図１に示すソースドライバ１３は、画素信号Ｖｐｉｘを、図１０に示す信号線ＳＧＬを介して、ゲートドライバ１２により順次選択される１水平ラインを構成する各副画素ＳＰｉｘにそれぞれ供給する。そして、これらの副画素ＳＰｉｘでは、供給される画素信号Ｖｐｉｘに応じて、１水平ラインの表示が行われるようになっている。図１に示す駆動電極ドライバ１４は、駆動信号Ｖｃｏｍを印加し、図７及び図１２に示す、所定の本数の駆動電極ＣＯＭＬからなる駆動電極ブロックＢ毎に駆動電極ＣＯＭＬを駆動する。駆動電極ブロックＢは、単数の駆動電極ＣＯＭＬでもよく、複数の駆動電極ＣＯＭＬでもよい。
【００６１】
上述したように、液晶表示部２０は、ゲートドライバ１２が走査線ＧＣＬを時分割的に順次走査するように駆動することにより、１水平ラインが順次選択される。また、液晶表示部２０は、１水平ラインに属する副画素ＳＰｉｘに対して、ソースドライバ１３が画素信号Ｖｐｉｘを供給することにより、１水平ラインずつ表示が行われる。この表示動作を行う際、駆動電極ドライバ１４は、その１水平ラインに対応する駆動電極ＣＯＭＬを含む駆動電極ブロックＢに対して表示用駆動電圧ＶＣＯＭを印加するようになっている。
【００６２】
本実施形態に係る駆動電極ＣＯＭＬは、液晶表示部２０の駆動電極として機能するとともに、タッチ検出デバイス３０の駆動電極としても機能する。図１２は、本実施形態に係るタッチ検出機能付き表示部の駆動電極及びタッチ検出電極の一構成例を表す斜視図である。図１２に示す駆動電極ＣＯＭＬは、図８に示すように、ＴＦＴ基板２１の表面に対する垂直方向において、画素電極２２に対向している。タッチ検出デバイス３０は、画素基板２に設けられた駆動電極ＣＯＭＬと、対向基板３に設けられたタッチ検出電極ＴＤＬにより構成されている。タッチ検出電極ＴＤＬは、駆動電極ＣＯＭＬの電極パターンの延在方向と交差する方向に延びるストライプ状の電極パターンから構成されている。そして、タッチ検出電極ＴＤＬは、ＴＦＴ基板２１の表面に対する垂直な方向において、駆動電極ＣＯＭＬと対向している。タッチ検出電極ＴＤＬの各電極パターンは、タッチ検出部４０のタッチ検出信号増幅部４２の入力にそれぞれ接続されている。駆動電極ＣＯＭＬとタッチ検出電極ＴＤＬにより互いに交差した電極パターンは、その交差部分に静電容量を生じさせている。なお、タッチ検出電極ＴＤＬ及び駆動電極ＣＯＭＬ（駆動電極ブロック）は、ストライプ状に複数に分割される形状に限られない。例えば、タッチ検出電極ＴＤＬ又は駆動電極ＣＯＭＬ（駆動電極ブロック）、又はその両方は、櫛歯形状であってもよい。あるいはタッチ検出電極ＴＤＬ又は駆動電極ＣＯＭＬ（駆動電極ブロック）、又はその両方は、複数に分割されていればよく、駆動電極ＣＯＭＬを分割するスリットの形状は直線であっても、曲線であってもよい。
【００６３】
この構成により、タッチ検出デバイス３０では、タッチ検出動作を行う際、駆動電極ドライバ１４が、図７に示す駆動電極ブロックＢを時分割的に線順次走査するように駆動する。これにより、スキャン方向Ｓｃａｎに駆動電極ＣＯＭＬが印加される駆動電極ブロックＢ（１検出ブロック）は、順次選択される。そして、タッチ検出デバイス３０は、タッチ検出電極ＴＤＬからタッチ検出信号Ｖｄｅｔを出力する。このようにタッチ検出デバイス３０は、１検出ブロックのタッチ検出が行われるようになっている。
【００６４】
図１３から１５は、本実施形態に係るタッチ検出機能付き表示装置におけるタッチ検出の動作例を表す模式図である。図１６は、本実施形態に係るタッチ検出機能付き表示装置における表示動作とタッチ検出動作とを説明する説明図である。図７に示す駆動電極ＣＯＭＬの駆動電極ブロックＢが２０個の駆動電極ブロックＢ１〜Ｂ２０である場合の、各駆動電極ブロックＢ１〜Ｂ２０に対するタッチ用駆動信号ＶｃｏｍＡＣの印加動作を示している。駆動信号印加ブロックＢＡＣは、タッチ用駆動信号ＶｃｏｍＡＣが印加された駆動電極ブロックＢを示しており、その他の駆動電極ブロックＢは電圧が印加されず、電位が固定されていない状態、いわゆるフローティング状態となっている。駆動信号印加ブロックＢＡＣは、タッチ用駆動信号ＶｃｏｍＡＣが印加された駆動電極ブロックＢを示しており、その他の駆動電極ブロックＢには表示用駆動電圧ＶＣＯＭが印加され、電位が固定されていてもよい。図１に示す駆動電極ドライバ１４は、図１３に示すタッチ検出動作の対象となる駆動電極ブロックＢのうち、駆動電極ブロックＢ３を選択して、タッチ用駆動信号ＶｃｏｍＡＣを印加する。次に、駆動電極ドライバ１４は、図１４に示す駆動電極ブロックＢのうち、駆動電極ブロックＢ４を選択して、タッチ用駆動信号ＶｃｏｍＡＣを印加する。次に、駆動電極ドライバ１４は、図１５に示す駆動電極ブロックＢのうち、駆動電極ブロックＢ５を選択して、タッチ用駆動信号ＶｃｏｍＡＣを印加する。このように、駆動電極ドライバ１４は、駆動電極ブロックＢを順次選択して、タッチ用駆動信号ＶｃｏｍＡＣを印加し、全ての駆動電極ブロックＢにわたって走査する。なお、駆動電極ブロックＢの個数は、２０個に限定されるものではない。
【００６５】
タッチ検出デバイス３０は、図１３から図１５に示す駆動電極ブロックＢの１つが、上述した静電容量型タッチ検出の基本原理における駆動電極Ｅ１に対応する。タッチ検出デバイス３０は、タッチ検出電極ＴＤＬの１つが、タッチ検出電極Ｅ２に対応する。タッチ検出デバイス３０は、上述した基本原理に従ってタッチを検出するようになっている。そして、図１２に示すように、互いに立体交差した電極パターンは、静電容量式タッチセンサをマトリックス状に構成している。よって、タッチ検出デバイス３０のタッチ検出面全体にわたって走査することにより、外部近接物体の接触又は近接が生じた位置の検出も可能となっている。
【００６６】
図１６に示すように、タッチ検出機能付き表示部１０は、ゲートドライバ１２が走査線ＧＣＬを時分割的に線順次走査するように駆動することにより、表示走査Ｓｃａｎｄを行う。また、図１６に示すように、タッチ検出機能付き表示部１０は、駆動電極ドライバ１４が、駆動電極ブロックＢを順次選択して駆動することにより、時間Ｗ１で１回の走査を完了するタッチ検出走査Ｓｃａｎｔを行う。図１６に示すように、タッチ検出走査Ｓｃａｎｔは、表示走査Ｓｃａｎｄの２倍の走査速度で行われる。このように、タッチ検出機能付き表示装置１では、タッチ検出の走査速度を表示の走査速度よりも速くすることにより、外部から近接する外部近接物体によるタッチにすぐに応答することができ、タッチ検出に対する応答特性を改善することができるようになっている。なお、タッチ検出走査Ｓｃａｎｔ及び表示走査Ｓｃａｎｄの関係は、図１６に示す関係に限定されるものではなく、例えば、タッチ検出走査Ｓｃａｎｔは、表示走査Ｓｃａｎｄの２倍より高い走査速度で行われるようにしてもよいし、表示走査Ｓｃａｎｄの２倍より低い走査速度で行われるようにしてもよい。
【００６７】
図１７は、本実施形態に係るスイッチを説明するためのブロック図である。上述したように、表示領域Ａｄには、走査線ＧＣＬ１、ＧＣＬ２、ＧＣＬ３・・・ＧＣＬＭが配線されている。なお、ＧＣＬＭは、最終の走査線を示している。第１ゲートドライバ１２Ａ、第２ゲートドライバ１２Ｂは、例えば転送回路６１と、バッファー回路６２とを含む。転送回路６１は、シフトレジスタを構成し、垂直スタートパルスＶＳＴに応答して動作を開始する。転送回路６１は、転送された垂直クロックパルスＶＣＫに同期して、順次垂直走査方向に選択され、選択された転送回路６１が、対応するバッファー回路６２に垂直選択パルスを出力する。
【００６８】
バッファー回路６２は、垂直選択パルスを受けて、上位レベルの電位ＶＧＨと下位レベルの電位ＶＧＬとから、走査線ＧＣＬを駆動するのに十分な電流を供給する垂直走査パルスＶｇａｔｅを送出する。
【００６９】
ディスチャージスイッチＳＷは、トランジスタの一端に、各走査線ＧＣＬが接続され、トランジスタの他端に垂直走査パルスの下位レベルの電位ＶＧＬが接続され、ゲートにスイッチ制御パルスＧＣＫが入力される。これにより、ディスチャージスイッチＳＷは、スイッチ制御信号ＧＣＫの入力に応じて、走査線ＧＣＬを垂直走査パルスの下位レベルの電位ＶＧＬを供給することができる。このように、ディスチャージスイッチＳＷは、第１ゲートドライバ１２Ａ又は第２ゲートドライバ１２Ｂが接続される走査線ＧＣＬの垂直駆動回路接続端とは反対側の端部に接続され、第１ゲートドライバ１２Ａ又は第２ゲートドライバ１２Ｂと同じ電位を供給することができる。
【００７０】
ディスチャージスイッチＳＷは、表示領域Ａｄを介して、第２ゲートドライバ１２Ｂが接続される走査線ＧＣＬの垂直駆動回路接続端とは反対側の端部に接続される、第１ゲートドライバ１２Ａ寄りの複数のスイッチと、第１ゲートドライバ１２Ａが接続される走査線ＧＣＬの垂直駆動回路接続端とは反対側の端部に接続される、第２ゲートドライバ１２Ｂ寄りの複数のスイッチとを備える。ディスチャージスイッチＳＷは、第１ゲートドライバ１２Ａ寄りのスイッチ毎又は第２ゲートドライバ１２Ｂ寄りのスイッチ毎に連動して同時に動作する。これにより、ディスチャージスイッチＳＷを動作させるために必要となるスイッチ制御信号の系統を少なくしすることができる。これにより、ディスチャージスイッチＳＷを動作させるために必要となる配線又はスイッチ制御信号を生成するための回路を少なくすることができ、額縁Ｇｄを狭くすることができる。
【００７１】
ここで、画素Ｐｉｘ又は副画素ＳＰｉｘは、本開示における「画素」の一具体例に対応する。表示領域Ａｄは、本開示における「表示領域」の一具体例に対応する。額縁Ｇｄは、本開示における「額縁領域」の一具体例に対応する。駆動電極ＣＯＭＬは、本開示における「共通電極」の一具体例に対応する。走査線ＧＣＬは、本開示における「走査線」の一具体例に対応する。第１ゲートドライバ１２Ａ及び第２ゲートドライバ１２Ｂは、本開示における「第１垂直駆動回路及び第２垂直駆動回路」の一具体例に対応する。ソースドライバ１３は、本開示における「水平駆動回路」の一具体例に対応する。ディスチャージスイッチＳＷは、本開示における「スイッチ」に対応する。
【００７２】
［動作及び作用］
続いて、本実施形態のタッチ検出機能付き表示装置１の動作及び作用について説明する。図１８は、本実施形態に係る表示動作期間及び休止期間を説明するためのタイミングチャートである。図１９及び図２０は、走査線の一例を示す回路図である。図２１は、本実施形態に係る走査線の一例を示す回路図である。図２２は、本実施形態に係る走査線の電位の変化を説明する説明図である。
【００７３】
本実施形態に係るタッチ検出機能付き表示装置１の動作を説明する。図１８に示すように、第１ゲートドライバ１２Ａ及び第２ゲートドライバ１２Ｂは、垂直スタートパルスＶＳＴと垂直クロックパルスＶＣＫから生成したパルスを垂直走査パルスとして順に出力し、走査線ＧＣＬに与えることによって副画素ＳＰｉｘを行単位で順次選択する。第１ゲートドライバ１２Ａと、第２ゲートドライバ１２Ｂとは、垂直同期信号ＶＳＹＮＣが入力されると、表示動作期間Ｐｄ（表示動作期間Ｐｄ１）において、交互に順次１段目から走査線ＧＣＬを選択していき、走査線ＧＣＬのｓ段目（ｓ≧２の整数）まで、ソースドライバ１３が信号線ＳＧＬを介して表示データを書き込む表示動作を行う。また、駆動電極ドライバ１４は、駆動電極ＣＯＭＬに表示用の電圧である表示用駆動電圧ＶＣＯＭを供給している。
【００７４】
第１ゲートドライバ１２Ａと、第２ゲートドライバ１２Ｂとは、タッチ検出期間識別信号ＴＳＨＤの高レベルの電位を識別すると、垂直走査パルスの送出を停止し、かつ走査線ＧＣＬに対して下位レベルの電位ＶＧＬを供給し、休止期間Ｐｔ（休止期間Ｐｔ１）に入る。休止期間Ｐｔの間は、ソースドライバ１３は、副画素ＳＰｉｘに対して信号線ＳＧＬを介して表示データを書き込む表示動作を休止する。そして駆動電極ドライバ１４は、制御部１１から供給される制御信号に基づいて、タッチ検出機能付き表示部１０の、駆動電極ＣＯＭＬにタッチ用駆動信号ＶｃｏｍＡＣを供給する。タッチ検出部４０は、制御部１１から供給される制御信号と、タッチ検出機能付き表示部１０のタッチ検出デバイス３０から供給されたタッチ検出信号Ｖｄｅｔに基づいて、タッチ検出デバイス３０に対するタッチ（上述した接触又は近接の状態）の有無を検出し、タッチがある場合においてタッチ検出領域におけるその座標などを求める。
【００７５】
タッチ検出期間識別信号ＴＳＨＤの低レベルの電位を識別する場合、第１ゲートドライバ１２Ａと、第２ゲートドライバ１２Ｂとは、垂直走査パルスの送出を再開する。また、タッチ検出期間識別信号ＴＳＨＤの低レベルの電位を識別すると、駆動電極ドライバ１４は、駆動電極ＣＯＭＬに表示用の電圧である表示用駆動電圧ＶＣＯＭを供給する。例えば、第１ゲートドライバ１２Ａと、第２ゲートドライバ１２Ｂとは、タッチ検出期間識別信号ＴＳＨＤの低レベルの電位が入力されると、表示動作期間Ｐｄ（表示動作期間Ｐｄ２）において、交互に順次ｓ＋１段目から走査線ＧＣＬを選択していき、走査線ＧＣＬのｓ＋ｔ段目（ｔ≧２の整数）まで、ソースドライバ１３が信号線ＳＧＬを介して表示データを書き込む表示動作を行う。
【００７６】
次に、タッチ検出期間識別信号ＴＳＨＤの高レベルの電位を識別する場合（Ａｃｔｉｖｅ）、第１ゲートドライバ１２Ａと、第２ゲートドライバ１２Ｂとは、垂直走査パルスの送出を停止し、かつ走査線ＧＣＬに対して下位レベルの電位ＶＧＬを供給し、休止期間Ｐｔ（休止期間Ｐｔ２）に入る。休止期間Ｐｔの間は、ソースドライバ１３は、副画素ＳＰｉｘに対して信号線ＳＧＬを介して表示データを書き込む表示動作を休止する。そして駆動電極ドライバ１４は、制御部１１から供給される制御信号に基づいて、タッチ検出機能付き表示部１０の、駆動電極ＣＯＭＬにタッチ用駆動信号ＶｃｏｍＡＣを供給する。タッチ検出部４０は、制御部１１から供給される制御信号と、タッチ検出機能付き表示部１０のタッチ検出デバイス３０から供給されたタッチ検出信号Ｖｄｅｔに基づいて、タッチ検出デバイス３０に対するタッチ（上述した接触又は近接の状態）の有無を検出し、タッチがある場合においてタッチ検出領域におけるその座標などを求める。
【００７７】
次に、タッチ検出期間識別信号ＴＳＨＤの低レベルの電位を識別する場合、第１ゲートドライバ１２Ａと、第２ゲートドライバ１２Ｂとは、垂直走査パルスの送出を再開する。また、タッチ検出期間識別信号ＴＳＨＤの低レベルの電位を識別すると、駆動電極ドライバ１４は、駆動電極ＣＯＭＬに表示用の電圧である表示用駆動電圧ＶＣＯＭを供給する。例えば、第１ゲートドライバ１２Ａと、第２ゲートドライバ１２Ｂとは、タッチ検出期間識別信号ＴＳＨＤの低レベルの電位が入力されると、表示動作期間Ｐｄ（表示動作期間Ｐｄ３）において、交互に順次ｓ＋ｔ＋１段目から走査線ＧＣＬを選択していき、走査線ＧＣＬのｓ＋ｔ＋ｐ段目（ｐ≧２の整数）まで、ソースドライバ１３が信号線ＳＧＬを介して表示データを書き込む表示動作を行う。
【００７８】
次に、タッチ検出期間識別信号ＴＳＨＤの高レベルの電位を識別する場合（Ａｃｔｉｖｅ）、第１ゲートドライバ１２Ａと、第２ゲートドライバ１２Ｂとは、垂直走査パルスの送出を停止し、かつ走査線ＧＣＬに対して下位レベルの電位ＶＧＬを供給し、休止期間Ｐｔ（休止期間Ｐｔ３）に入る。休止期間Ｐｔの間は、ソースドライバ１３は、副画素ＳＰｉｘに対して信号線ＳＧＬを介して表示データを書き込む表示動作を休止する。そして駆動電極ドライバ１４は、制御部１１から供給される制御信号に基づいて、タッチ検出機能付き表示部１０の、駆動電極ＣＯＭＬにタッチ用駆動信号ＶｃｏｍＡＣを供給する。タッチ検出部４０は、制御部１１から供給される制御信号と、タッチ検出機能付き表示部１０のタッチ検出デバイス３０から供給されたタッチ検出信号Ｖｄｅｔに基づいて、タッチ検出デバイス３０に対するタッチ（上述した接触又は近接の状態）の有無を検出し、タッチがある場合においてタッチ検出領域におけるその座標などを求める。
【００７９】
以上説明したように、本実施形態に係るタッチ検出機能付き表示装置１は、表示動作と表示動作との間（表示動作期間Ｐｄの間）に表示を休止する休止期間Ｐｔにタッチ検出するため、タッチ検出動作において表示への影響を低減することができる。
【００８０】
図１９、図２０及び図２１に示す、第１ゲートドライバ１２Ａ（第２ゲートドライバ１２Ｂ）は、図２２に示す表示動作期間Ｐｄにおいて、表示領域Ａｄの各副画素ＳＰｉｘを行単位で選択するために、上位レベルの電位ＶＧＨと下位レベルの電位ＶＧＬとで矩形波となる、垂直走査パルスＶｇａｔｅを走査線ＧＣＬｓに送出する。図２２に示す休止期間Ｐｔは、前後の垂直走査パルスＶｇａｔｅの立ち上がり、立ち下がりから十分時間的に離れていることがより好ましい。
【００８１】
図１９に示す、第１ゲートドライバ１２Ａ（第２ゲートドライバ１２Ｂ）は、走査線ＧＣＬｓの延在方向の一端に接続されており、第１ゲートドライバ１２Ａ（第２ゲートドライバ１２Ｂ）に接続されている端子を近端（垂直駆動回路接続端）Ｐｓとすると、第１ゲートドライバ１２Ａ（第２ゲートドライバ１２Ｂ）に接続されていない端子が遠端Ｐｅになる。走査線ＧＣＬｓの遠端Ｐｅでは、走査線ＧＣＬｓの近端Ｐｓと比較して、抵抗Ｒｇａｔｅ及びコンデンサ容量Ｃｇａｔｅが多く、抵抗Ｒｇａｔｅとコンデンサ容量Ｃｇａｔｅとの積の関数であるパルスの時定数に差が生じる。図１９に示す、遠端Ｐｅは、ディスチャージスイッチＳＷがなく、コンデンサ容量Ｃｇａｔｅがあるのみである。図２３は、表示装置の共通電極と走査線とのカップリング容量を説明する説明図である。
【００８２】
図２３に示すように、走査線ＧＣＬｓと、表示装置の共通電極となる駆動電極ＣＯＭＬとの間には、カップリング容量Ｃｃｏｍｇａｔｅが生じている。同様に、信号線ＳＧＬｎと、表示装置の共通電極となる駆動電極ＣＯＭＬとの間には、容量Ｃｃｏｍｓｉｇが生じている。また、画素電極と駆動電極ＣＯＭＬとの間には、容量Ｃｐｉｘがあり、画素信号Ｖｐｉｘが保持されている。上述したように、休止期間Ｐｔにおいて、駆動電極ドライバ１４は、駆動電極ＣＯＭＬへタッチ用駆動信号ＶｃｏｍＡＣを供給する。これにより、図２２に示す休止期間Ｐｔにおいて、駆動電極ＣＯＭＬの電位が変動する。なお、図２２において、駆動電極ＣＯＭＬに印加される電位であるタッチ用駆動信号ＶｃｏｍＡＣは、模式的に１つの矩形波として記載されているが、上述した図６に示す交流矩形波Ｓｇのような複数の電位の変動であってもよい。
【００８３】
図１９に示す走査線ＧＣＬｓは、休止期間Ｐｔにおいて、近端Ｐｓに下位の電位ＶＧＬが直接供給されている。これに対し、図１９に示す走査線ＧＣＬｓは、遠端Ｐｅには、休止期間Ｐｔにおいて、近端Ｐｓに印加された下位の電位ＶＧＬが複数の抵抗Ｒｇａｔｅと複数のコンデンサ容量Ｃｇａｔｅとを介して印加されることになる。駆動電極ＣＯＭＬの電位が変動する場合、カップリング容量Ｃｃｏｍｇａｔｅを介した影響（カップリング）が生じ、走査線ＧＣＬｓに電位の変化（ノイズ）を引き起こす可能性がある。走査線ＧＣＬｓの近端Ｐｓは、下位の電位ＶＧＬが直接供給されているため、カップリング容量Ｃｃｏｍｇａｔｅを介した走査線ＧＣＬｓの電位の変化が抑制される。しかしながら、図１９に示す走査線ＧＣＬｓの遠端Ｐｅの電位は、図２２に示す電位変動のノイズＮＰを生じてしまう可能性がある。ノイズＮＰは、信号線ＳＧＬと容量Ｃｐｉｘの間に、図２３に示すリーク電流Ｒｑを引き起こし、ＴＦＴ素子Ｔｒが誤動作する可能性がある。その結果、表示領域Ａｄの品位が低下する可能性がある。
【００８４】
表示用の共通電極として、駆動電極ＣＯＭＬの電位の変化に対して走査線のノイズＮＰの影響を抑制するには、図２０に示すように、走査線ＧＣＬｓの延在方向に走査線ＧＣＬｓを挟むように配置されている第１ゲートドライバ１２Ａ、第２ゲートドライバ１２Ｂが、走査線ＧＣＬｓの両端から、垂直走査パルスＶｇａｔｅの下位レベルの電位ＶＧＬを供給するようにすることが有効である。図２０に示す走査線ＧＣＬｓの遠端Ｐｅは、図１９に示す走査線ＧＣＬｓの遠端Ｐｅに比較して、走査線ＧＣＬｓの近端Ｐｓ１、近端Ｐｓ２からの距離が１／２になる。これにより、図２０に示す走査線ＧＣＬｓは、抵抗Ｒｇａｔｅ及びコンデンサ容量Ｃｇａｔｅが影響する時定数を、図１９に示す走査線ＧＣＬｓの１／４程度とすることができる。このため、図２０に示す走査線ＧＣＬｓを有する表示領域Ａｄの品位を向上させることができる。しかしながら、第１ゲートドライバ１２Ａ（第２ゲートドライバ１２Ｂ）は、走査線ＧＣＬｓの端部にそれぞれ接続され、第１ゲートドライバ１２Ａ（第２ゲートドライバ１２Ｂ）は、走査線ＧＣＬｓの両端から、表示領域Ａｄの各副画素ＳＰｉｘを行単位で選択するため、第１ゲートドライバ１２Ａ（第２ゲートドライバ１２Ｂ）のＴＦＴ素子Ｔｒの素子数が増え、回路面積が大きくなる。このため、上述した額縁Ｇｄは、大きくなってしまう。
【００８５】
そこで、本実施形態に係るタッチ検出機能付き表示装置１は、図２１に示すように、第１ゲートドライバ１２Ａ（第２ゲートドライバ１２Ｂ）は、走査線ＧＣＬｓの延在方向の一端に接続されており、第１ゲートドライバ１２Ａ（第２ゲートドライバ１２Ｂ）に接続されている端子を近端Ｐｓとすると、第１ゲートドライバ１２Ａ（第２ゲートドライバ１２Ｂ）に接続されていない端子が遠端Ｐｅになる。そして、ディスチャージスイッチＳＷは、走査線ＧＣＬｓの遠端Ｐｅに接続されている。ディスチャージスイッチＳＷは、上述したように、トランジスタの素子の数が、第１ゲートドライバ１２Ａ（第２ゲートドライバ１２Ｂ）を構成する回路より小さい回路である。第１ゲートドライバ１２Ａ（第２ゲートドライバ１２Ｂ）は、走査線ＧＣＬｓの近端Ｐｓから、表示領域Ａｄの各副画素ＳＰｉｘを行単位で選択するため、図２０に示す第１ゲートドライバ１２Ａ（第２ゲートドライバ１２Ｂ）よりもＴＦＴ素子Ｔｒの素子数を抑制することができる。このためＴＦＴ素子Ｔｒの素子数が抑制されると、回路面積が小さくなり、額縁Ｇｄを狭くすることができる。
【００８６】
ディスチャージスイッチＳＷは、スイッチ制御信号ＧＣＫの入力に応じて、走査線ＧＣＬｓの遠端Ｐｅに垂直走査パルスＶｇａｔｅの下位レベルの電位ＶＧＬを供給する。例えば、図１８又は図２２に示すように、タッチ検出期間識別信号ＴＳＨＤの高レベルの電位を識別する場合（Ａｃｔｉｖｅ）、ＣＯＧ１９は、スイッチ制御信号ＧＣＫの高レベルの電位（Ａｃｔｉｖｅ）を同時又はタッチ検出期間識別信号ＴＳＨＤの高レベルの電位を識別した後すぐに、ディスチャージスイッチＳＷへ送出する。なお、スイッチ制御信号ＧＣＫは、上述した転送回路６１などＣＯＧ１９以外の回路から送出されてもよい。
【００８７】
図２１に示す走査線ＧＣＬｓは、休止期間Ｐｔにおいて、近端Ｐｓに下位の電位ＶＧＬが直接供給されている。また、図２１に示す走査線ＧＣＬｓは、休止期間Ｐｔにおいて、遠端Ｐｅに下位の電位ＶＧＬがディスチャージスイッチＳＷから供給されている。駆動電極ＣＯＭＬの電位が変動する場合、カップリング容量Ｃｃｏｍｇａｔｅを介した影響（カップリング）が生じ、走査線ＧＣＬｓに電位の変化（ノイズ）を引き起こす可能性がある。しかしながら、走査線ＧＣＬｓの近端Ｐｓ及び遠端Ｐｅは、下位の電位ＶＧＬが直接供給されているため、カップリング容量Ｃｃｏｍｇａｔｅを介した走査線ＧＣＬｓの電位の変化、つまりノイズＮＱが抑制される。走査線ＧＣＬｓの近端Ｐｓ及び遠端Ｐｅの間においても、抵抗Ｒｇａｔｅ及びコンデンサ容量Ｃｇａｔｅが影響する時定数が、図１９に示す走査線ＧＣＬｓの１／４程度とすることができ、ノイズの影響が抑制される。このように、休止期間Ｐｔにおいて、走査線ＧＣＬｓは、下位の電位ＶＧＬに固定されやすくなり、カップリング容量Ｃｃｏｍｇａｔｅを介した走査線ＧＣＬｓの電位の変化、つまりノイズＮＱが抑制される。
【００８８】
そして、図２２に示すようにタッチ検出期間識別信号ＴＳＨＤの低レベルの電位を識別する場合、ＣＯＧ１９は、スイッチ制御信号ＧＣＫの低レベルの電位をタッチ検出期間識別信号ＴＳＨＤの低レベルの電位を識別したと同時又はタッチ検出期間識別信号ＴＳＨＤの低レベルの電位を識別する直前に、ディスチャージスイッチＳＷへ送出する。これにより、第１ゲートドライバ１２Ａ（第２ゲートドライバ１２Ｂ）は、走査線ＧＣＬｓの延在方向の近端Ｐｓから、垂直走査パルスＶｇａｔｅを送出可能となり、表示動作期間Ｐｄを開始できる。
【００８９】
ディスチャージスイッチＳＷは、表示動作期間Ｐｄにおいて、走査線ＧＣＬｓに印加された垂直走査パルスＶｇａｔｅの立ち下がり始めから次段の走査線ＧＣＬｓ＋１に印加される垂直走査パルスＶｇａｔｅの立ち上がり直前の過渡期間にも、第１ゲートドライバ１２Ａ又は第２ゲートドライバ１２Ｂが与える電位と同じ電位を与えるようにしてもよい。これにより、走査線ＧＣＬｓに印加された垂直走査パルスＶｇａｔｅの立ち下がりを急峻にし、走査線ＧＣＬｓに印加された垂直走査パルスＶｇａｔｅの立ち下がりと、次段の走査線ＧＣＬｓ＋１における垂直走査パルスＶｇａｔｅの立ち上がりとが時間的に分離できる。また、この場合、本実施形態に係るタッチ検出機能付き表示装置１は、各段の水平期間（１Ｈ）毎に、スイッチ制御信号ＧＣＫをディスチャージスイッチＳＷに供給する。本実施形態に係るタッチ検出機能付き表示装置１は、休止期間Ｐｔにおいてのみ、スイッチ制御信号ＧＣＫをディスチャージスイッチＳＷに供給し、ディスチャージスイッチＳＷを動作させる場合、表示動作期間ＰｄにもディスチャージスイッチＳＷを動作させる場合に比較して、例えば１／２０程度の消費電力は少なくなる。
【００９０】
図２４は、変形例に係るタッチ検出機能付き表示部の概略断面構造を表す断面図である。上記の実施形態及び変形例に係るタッチ検出機能付き表示装置１は、ＦＦＳ、ＩＰＳ等の各種モードの液晶を用いた液晶表示部２０とタッチ検出デバイス３０とを一体化してタッチ検出機能付き表示部１０とすることができる。これに代えて、図２４に示す変形例に係るタッチ検出機能付き表示部１０は、ＴＮ（Twisted  Nematic：ツイステッドネマティック）、ＶＡ（Vertical  Alignment：垂直配向）、ＥＣＢ（Electrically  Controlled  Birefringence：電界制御複屈折）等の各種モードの液晶とタッチ検出デバイスとを一体化してもよい。
【００９１】
また、上記実施形態では、液晶表示部２０と静電容量型のタッチ検出デバイス３０とを一体化した表示装置を説明したが、これに限定されるものではなく、例えば、表示装置は、静電容量型のタッチ検出デバイス３０を液晶表示部２０に装着した装置であってもよい。静電容量型のタッチ検出デバイス３０を液晶表示部２０に装着した表示装置の場合、図８に示す画素基板２の駆動電極ＣＯＭＬを第１の駆動電極ＣＯＭＬとし、これに加えて、対向基板３における、ガラス基板３１の表面にも第２の駆動電極ＣＯＭＬを備えており、第１の駆動電極ＣＯＭＬと第２の駆動電極ＣＯＭＬとが電気的に接続されている。この場合でも、上述したような構成にすることにより、外部ノイズや、液晶表示部から伝わるノイズ（上記実施形態における内部ノイズに対応するもの）の影響を抑えつつタッチ検出を行うことができる。
【００９２】
［効果］
以上説明したように、本実施形態に係るタッチ検出機能付き表示装置１は、第１ゲートドライバ１２Ａ又は第２ゲートドライバ１２Ｂが接続される走査線ＧＣＬの近端（垂直駆動回路接続端）Ｐｓとは反対側の端部である遠端Ｐｅに接続されるディスチャージスイッチＳＷを含み、ディスチャージスイッチＳＷは、ソースドライバ１３が画像信号Ｖｓｉｇを供給する表示動作を休止する休止期間Ｐｔにおいて、第１ゲートドライバ１２Ａ又は第２ゲートドライバ１２Ｂが与える電位と同じ電位を与える。これにより、本実施形態に係るタッチ検出機能付き表示装置１は、額縁Ｇｄを抑制するとともに、表示動作と表示動作との間に表示を休止する休止期間Ｐｔにおいて容量Ｃｐｉｘと信号線ＳＧＬとの間のリーク電流Ｒｑを引き起こす可能性を抑制することができる。その結果、本実施形態に係る表示装置は、表示領域Ａｄの品位の低下を抑制することができる。そして、本実施形態に係るタッチ検出機能付き表示装置１は、休止期間Ｐｔにおいて駆動信号ＶｃｏｍＡＣを与えられる駆動電極ＣＯＭＬと、この駆動電極ＣＯＭＬとの間に静電容量を形成するタッチ検出電極ＴＤＬと、タッチ検出電極ＴＤＬからの検出信号に基づき、近接する物体の位置を検出するタッチ検出部４０と、を含み、表示領域Ａｄに外部から近接する外部近接物体を検出可能である。
【００９３】
＜１−２．表示装置＞
タッチ検出機能がない、表示装置も、表示動作と表示動作との間に表示を休止する休止期間において、表示用の共通電極が変化する駆動などの表示駆動以外の駆動を行うことがある。上述した表示装置は、タッチ検出機能付き表示装置１であったが、本開示は、タッチ検出機能付きの表示装置に限られない。以下に説明する表示装置は、タッチ検出機能付き表示装置１のうち、上述したタッチ検出するための構成を省略し、液晶表示部２０及び制御装置を含む。なお、上述した本実施形態で説明したものと同じ構成要素には同一の符号を付して重複する説明は省略する。
【００９４】
図２５は、本実施形態に係る走査線の電位の変化を説明する説明図である。図２６は、２水平期間の共通電位反転駆動を模式的に説明するための説明図である。表示装置は、液晶素子ＬＣに同極性の直流電圧が印加され続けることによって液晶の比抵抗（物質固有の抵抗値）等が劣化する可能性がある。
【００９５】
表示装置は、液晶の比抵抗（物質固有の抵抗値）等の劣化を防ぐため、駆動電極ＣＯＭＬの共通電位、つまり表示用駆動電圧ＶＣＯＭを２水平期間毎に極性を反転させ、この共通電位を基準として画素信号Ｖｐｉｘ（ＶｐｉｘＲ、ＶｐｉｘＧ、ＶｐｉｘＢ）の極性を所定の周期で反転させる駆動方式がとられる。例えば、図２５に示すように、駆動電極ＣＯＭＬの表示用駆動電圧ＶＣＯＭを２水平期間毎に極性を反転させ、この共通電位を基準として画素信号ＶｐｉｘＲの極性を所定の周期で反転させる。これにより、図２６に示すように、２水平ライン毎に副画素ＳＰｉｘに印加される画素信号Ｖｐｉｘ（ＶｐｉｘＲ、ＶｐｉｘＧ、ＶｐｉｘＢ）の極性がプラス（＋）とマイナス（−）とで交互に入れ替わっている。その結果、表示装置は、液晶の比抵抗（物質固有の抵抗値）等の劣化を防ぐことができる。
【００９６】
上述した図２３に示すように、走査線ＧＣＬｓと、表示装置の共通電極となる駆動電極ＣＯＭＬとの間には、カップリング容量Ｃｃｏｍｇａｔｅが生じている。同様に、信号線ＳＧＬｎと、表示装置の共通電極となる駆動電極ＣＯＭＬとの間には、容量Ｃｃｏｍｓｉｇが生じている。図２５に示すように、駆動電極ＣＯＭＬの表示用駆動電圧ＶＣＯＭを２水平期間毎に極性を反転させる休止期間Ｐｔにおいて、駆動電極ＣＯＭＬの電位が変動する。駆動電極ＣＯＭＬの電位が変動する場合、カップリング容量Ｃｃｏｍｇａｔｅを介した影響（カップリング）が生じ、走査線ＧＣＬｓに電位の変化（ノイズ）を引き起こす可能性がある。走査線ＧＣＬｓの近端Ｐｓは、下位の電位ＶＧＬが直接供給されているため、カップリング容量Ｃｃｏｍｇａｔｅを介した走査線ＧＣＬｓの電位の変化が抑制される。しかしながら、図１９に示す走査線ＧＣＬｓの遠端Ｐｅの電位は、図２２に示す電位変動のノイズＮＰを生じてしまう可能性がある。ノイズＮＰは、信号線ＳＧＬと容量Ｃｐｉｘの間に、図２３に示すリーク電流Ｒｑを引き起こす可能性がある。その結果、表示領域Ａｄの品位が低下する可能性がある。
【００９７】
そこで、本実施形態に係る表示装置は、図２１に示すように、第１ゲートドライバ１２Ａ（第２ゲートドライバ１２Ｂ）は、走査線ＧＣＬｓの延在方向の一端に接続されており、第１ゲートドライバ１２Ａ（第２ゲートドライバ１２Ｂ）に接続されている端子を近端Ｐｓとすると、第１ゲートドライバ１２Ａ（第２ゲートドライバ１２Ｂ）に接続されていない端子が遠端Ｐｅになる。そして、ディスチャージスイッチＳＷは、走査線ＧＣＬｓの遠端Ｐｅに接続されている。ディスチャージスイッチＳＷは、スイッチ制御信号ＧＣＫの入力に応じて、走査線ＧＣＬｓの遠端Ｐｅに垂直走査パルスＶｇａｔｅの下位レベルの電位ＶＧＬを供給する。例えば、図２５に示すように、休止期間Ｐｔにおいて、ＣＯＧ１９は、スイッチ制御信号ＧＣＫの高レベルの電位をディスチャージスイッチＳＷへ送出する。なお、スイッチ制御信号ＧＣＫは、上述した転送回路６１などＣＯＧ１９以外の回路から送出されてもよい。
【００９８】
図２１に示す走査線ＧＣＬｓは、休止期間Ｐｔにおいて、近端Ｐｓに下位の電位ＶＧＬが直接供給されている。また、図２１に示す走査線ＧＣＬｓは、休止期間Ｐｔにおいて、遠端Ｐｅに下位の電位ＶＧＬがディスチャージスイッチＳＷから供給されている。駆動電極ＣＯＭＬの電位が変動する場合、カップリング容量Ｃｃｏｍｇａｔｅを介した影響（カップリング）が生じ、走査線ＧＣＬｓに電位の変化（ノイズ）を引き起こす可能性がある。しかしながら、本実施形態の表示装置は、走査線ＧＣＬｓの近端Ｐｓ及び遠端Ｐｅが、下位の電位ＶＧＬを直接供給されているため、カップリング容量Ｃｃｏｍｇａｔｅを介した走査線ＧＣＬｓの電位の変化、つまりノイズＮＱが抑制される。走査線ＧＣＬｓの近端Ｐｓ及び遠端Ｐｅの間においても、抵抗Ｒｇａｔｅ及びコンデンサ容量Ｃｇａｔｅが影響する時定数が、図１９に示す走査線ＧＣＬｓの１／４程度とすることができ、ノイズの影響が抑制される。
【００９９】
そして、図２５に示すように共通電位の極性反転後、ＣＯＧ１９は、スイッチ制御信号ＧＣＫの低レベルの電位をディスチャージスイッチＳＷへ送出する。これにより、第１ゲートドライバ１２Ａ（第２ゲートドライバ１２Ｂ）は、走査線ＧＣＬｓの延在方向の近端Ｐｓから、垂直走査パルスＶｇａｔｅを送出可能となり、表示動作期間Ｐｄを開始できる。
【０１００】
ディスチャージスイッチＳＷは、表示動作期間Ｐｄにおいて、走査線ＧＣＬｓに印加された垂直走査パルスＶｇａｔｅの立ち下がり始めから次段の走査線ＧＣＬｓ＋１に印加される垂直走査パルスＶｇａｔｅの立ち上がり直前の過渡期間にも、第１ゲートドライバ１２Ａ又は第２ゲートドライバ１２Ｂが与える電位と同じ電位を与えるようにしてもよい。これにより、走査線ＧＣＬｓに印加された垂直走査パルスＶｇａｔｅの立ち下がりを急峻にし、走査線ＧＣＬｓに印加された垂直走査パルスＶｇａｔｅの立ち下がりと、次段の走査線ＧＣＬｓ＋１における垂直走査パルスＶｇａｔｅの立ち上がりとが時間的に分離できる。また、この場合、本実施形態に係る表示装置は、各段の水平期間（１Ｈ）毎に、スイッチ制御信号ＧＣＫをディスチャージスイッチＳＷに供給する。本実施形態に係る表示装置は、休止期間Ｐｔにおいてのみ、スイッチ制御信号ＧＣＫをディスチャージスイッチＳＷに供給し、ディスチャージスイッチＳＷを動作させる場合、表示動作期間ＰｄにもディスチャージスイッチＳＷを動作させる場合に比較して、例えば１／２程度の消費電力は少なくなる。
【０１０１】
［効果］
以上説明したように、本実施形態に係る表示装置は、第１ゲートドライバ１２Ａ又は第２ゲートドライバ１２Ｂが接続される走査線ＧＣＬの近端（垂直駆動回路接続端）Ｐｓとは反対側の端部である遠端Ｐｅに接続されるディスチャージスイッチＳＷを含む。ディスチャージスイッチＳＷは、ソースドライバ１３が画像信号Ｖｓｉｇを、信号線ＳＧＬを介して各副画素Ｓｐｉｘに対して供給する表示動作を休止する休止期間Ｐｔにおいて、第１ゲートドライバ１２Ａ又は第２ゲートドライバ１２Ｂが与える電位と同じ電位を与える。これにより、本実施形態に係る表示装置は、額縁Ｇｄの大きさを抑制するとともに、表示動作と表示動作との間に表示を休止する休止期間Ｐｔにおいて容量Ｃｐｉｘと信号線ＳＧＬとの間のリーク電流Ｒｑを引き起こす可能性を抑制することができる。その結果、本実施形態に係る表示装置は、表示領域Ａｄの品位の低下を抑制することができる。また、本実施形態の表示装置は、休止期間Ｐｔにおいて、共通電極である駆動電極ＣＯＭＬに与えられる共通電位の極性が切り替わる。これにより、液晶素子ＬＣの性能の維持ができる。
【０１０２】
以上、いくつかの実施形態及び変形例を挙げて説明したが、本開示はこれらの実施形態等には限定されず、種々の変形が可能である。
【０１０３】
＜２．適用例＞
次に、図２７〜図３９を参照して、実施形態及び変形例で説明したタッチ検出機能付き表示装置１の適用例について説明する。図２７〜図３９は、本実施形態に係るタッチ検出機能付き表示装置又は表示装置を適用する電子機器の一例を示す図である。本実施形態及び変形例に係るタッチ検出機能付き表示装置１及び表示装置は、テレビジョン装置、デジタルカメラ、ノート型パーソナルコンピュータ、携帯電話等の携帯端末装置あるいはビデオカメラなどのあらゆる分野の電子機器に適用することが可能である。言い換えると、本実施形態及び変形例に係るタッチ検出機能付き表示装置１及び表示装置は、外部から入力された映像信号あるいは内部で生成した映像信号を、画像あるいは映像として表示するあらゆる分野の電子機器に適用することが可能である。
【０１０４】
（適用例１）
図２７に示す電子機器は、本実施形態及び変形例に係るタッチ検出機能付き表示装置１及び表示装置が適用されるテレビジョン装置である。このテレビジョン装置は、例えば、フロントパネル５１１及びフィルターガラス５１２を含む映像表示画面部５１０を有しており、この映像表示画面部５１０は、本実施形態及び変形例に係るタッチ検出機能付き表示装置１及び表示装置である。
【０１０５】
（適用例２）
図２８及び図２９に示す電子機器は、本実施形態及び変形例に係るタッチ検出機能付き表示装置１及び表示装置が適用されるデジタルカメラである。このデジタルカメラは、例えば、フラッシュ用の発光部５２１、表示部５２２、メニュースイッチ５２３及びシャッターボタン５２４を有しており、その表示部５２２は、本実施形態及び変形例に係るタッチ検出機能付き表示装置１及び表示装置である。
【０１０６】
（適用例３）
図３０に示す電子機器は、本実施形態及び変形例に係るタッチ検出機能付き表示装置１及び表示装置が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、本実施形態及び変形例に係るタッチ検出機能付き表示装置１及び表示装置である。
【０１０７】
（適用例４）
図３１に示す電子機器は、本実施形態及び変形例に係るタッチ検出機能付き表示装置１及び表示装置が適用されるノート型パーソナルコンピュータである。このノート型パーソナルコンピュータは、例えば、本体５４１、文字等の入力操作のためのキーボード５４２及び画像を表示する表示部５４３を有しており、表示部５４３は、本実施形態及び変形例に係るタッチ検出機能付き表示装置１及び表示装置である。
【０１０８】
（適用例５）
図３２〜図３８に示す電子機器は、本実施形態及び変形例に係るタッチ検出機能付き表示装置１及び表示装置が適用される携帯電話機である。この携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。そのディスプレイ５５４又はサブディスプレイ５５５は、本実施形態及び変形例に係るタッチ検出機能付き表示装置１及び表示装置である。
【０１０９】
（適用例６）
図３９に示す電子機器は、携帯型コンピュータ、多機能な携帯電話、音声通話可能な携帯コンピュータ又は通信可能な携帯コンピュータとして動作し、いわゆるスマートフォン、タブレット端末と呼ばれることもある、情報携帯端末である。この情報携帯端末は、例えば筐体５６１の表面に表示部５６２を有している。この表示部５６２は、本実施形態及び変形例に係るタッチ検出機能付き表示装置１及び表示装置である。
【０１１０】
＜３．本開示の態様＞
本開示は、以下の態様を含む。
【０１１１】
（１）複数の画素がマトリックス状配置されている表示領域と、
前記表示領域の外側に位置する額縁領域と、
対応する前記画素に共通の共通電位を与える共通電極と、
前記表示領域において第１の方向に延在する複数の走査線と、
前記表示領域において第２の方向に延在する複数の信号線と、
前記額縁領域において前記第１の方向に前記走査線を挟んで配置され、前記第１の方向に交互に垂直走査パルスを印加して前記表示領域の各前記画素を行単位で選択する、第１垂直駆動回路及び第２垂直駆動回路と、
前記第１垂直駆動回路又は前記第２垂直駆動回路によって選択された行の各画素に対して前記信号線を介して画像信号を供給する表示動作を行う水平駆動回路と、
前記第１垂直駆動回路又は前記第２垂直駆動回路が接続される前記走査線の垂直駆動回路接続端とは反対側の端部に接続される複数のスイッチと、を含み、
前記スイッチは、前記水平駆動回路が前記表示動作を休止する休止期間において、前記第１垂直駆動回路又は前記第２垂直駆動回路が前記走査線に与えている電位と同じ電位を前記走査線に与える、表示装置。
【０１１２】
（２）前記スイッチは、前記スイッチに接続されている走査線に前記垂直走査パルスの下位レベルの電位を供給する、前記（１）に記載の表示装置。
【０１１３】
（３）前記スイッチは、第１垂直駆動回路寄りの複数のスイッチと、第２垂直駆動回路寄りの複数のスイッチとを備え、第１垂直駆動回路寄りの複数のスイッチ毎又は第２垂直駆動回路寄りの複数のスイッチ毎に連動して同時に動作する、前記（１）又は前記（２）に記載の表示装置。
【０１１４】
（４）前記休止期間において駆動信号を与えられる駆動電極と、前記駆動電極との間に静電容量を形成するタッチ検出電極と、前記タッチ検出電極からの検出信号に基づき、近接する物体の位置を検出するタッチ検出部と、を含み、前記表示領域に外部から近接する外部近接物体を検出可能なタッチ検出装置をさらに備える、前記（１）から前記（３）のいずれか１つに記載の表示装置。
【０１１５】
（５）前記駆動電極は、前記表示動作している間に前記共通電極として各前記画素に共通の共通電位を与える、前記（４）に記載の表示装置。
【０１１６】
（６）前記休止期間において、前記共通電極に与えられる共通電位の極性が切り替わる、前記（１）から前記（５）のいずれか１つに記載の表示装置。
【０１１７】
（７）複数の画素がマトリックス状配置されている表示領域と、
前記表示領域の外側に位置する額縁領域と、
対応する前記画素に共通の共通電位を与える共通電極と、
前記表示領域において第１の方向に延在する複数の走査線と、
前記表示領域において第２の方向に延在する複数の信号線と、
前記額縁領域において前記第１の方向に前記走査線を挟んで配置され、前記第１の方向に交互に垂直走査パルスを印加して前記表示領域の各前記画素を行単位で選択する、第１垂直駆動回路及び第２垂直駆動回路と、
前記第１垂直駆動回路又は前記第２垂直駆動回路によって選択された行の各画素に対して前記信号線を介して画像信号を供給する表示動作を行う水平駆動回路と、
前記第１垂直駆動回路又は前記第２垂直駆動回路が接続される前記走査線の垂直駆動回路接続端とは反対側の端部に接続される複数のスイッチと、を含む表示装置の駆動方法であって、
前記スイッチが、前記水平駆動回路が前記表示動作を休止する休止期間において、前記第１垂直駆動回路又は前記第２垂直駆動回路が前記走査線に与えている電位と同じ電位を前記走査線に与える、表示装置の駆動方法。
【０１１８】
（８）複数の画素がマトリックス状配置されている表示領域と、
前記表示領域の外側に位置する額縁領域と、
対応する前記画素に共通の共通電位を与える共通電極と、
前記表示領域において第１の方向に延在する複数の走査線と、
前記表示領域において第２の方向に延在する複数の信号線と、
前記額縁領域において前記第１の方向に前記走査線を挟んで配置され、前記第１の方向に交互に垂直走査パルスを印加して前記表示領域の各前記画素を行単位で選択する、第１垂直駆動回路及び第２垂直駆動回路と、
前記第１垂直駆動回路又は前記第２垂直駆動回路によって選択された行の各画素に対して前記信号線を介して画像信号を供給する表示動作を行う水平駆動回路と、
前記第１垂直駆動回路又は前記第２垂直駆動回路が接続される前記走査線の垂直駆動回路接続端とは反対側の端部に接続される複数のスイッチと、を含み、
前記スイッチは、前記水平駆動回路が前記表示動作を休止する休止期間において、前記第１垂直駆動回路又は前記第２垂直駆動回路が前記走査線に与えている電位と同じ電位を前記走査線に与える、表示装置を有する電子機器。
【０１１９】
（９）複数の画素がマトリックス状配置されている表示領域と、
前記表示領域において第１の方向に延在する複数の走査線と、
前記表示領域において第２の方向に延在する複数の信号線と、
前記走査線の第１の端部に接続され、垂直走査パルスを前記第１の端部に印加して前記表示領域の各前記画素を行単位で選択する、垂直駆動回路と、
前記垂直駆動回路によって選択された行の各画素に対して前記信号線を介して画像信号を供給する表示動作を行う水平駆動回路と、
前記走査線の第２の端部に接続される複数のスイッチと、を含み、
前記スイッチは、前記水平駆動回路が前記表示動作を休止する休止期間において、前記垂直駆動回路が前記第１の端部に与えている電位と同じ電位を対応する前記第２の端部に与える、表示装置。
【符号の説明】
【０１２０】
１  タッチ検出機能付き表示装置
２  画素基板
３  対向基板
６  液晶層
１０  タッチ検出機能付き表示部
１１  制御部
１２  ゲートドライバ
１３  ソースドライバ
１４  駆動電極ドライバ
２０  液晶表示部
２１  ＴＦＴ基板
２２  画素電極
３０  タッチ検出デバイス
３１  ガラス基板
３２  カラーフィルタ
３５  偏光板
４０  タッチ検出部
４２  タッチ検出信号増幅部
４３  Ａ／Ｄ変換部
４４  信号処理部
４５  座標抽出部
４６  検出タイミング制御部
ＣＯＭＬ  駆動電極
Ｐｓ、Ｐｓ１、Ｐｓ２  近端
Ｐｅ  遠端
ＴＤＬ  タッチ検出電極
ＶＣＯＭ  表示用駆動電圧（共通電位）
ＶｃｏｍＡＣ  タッチ用駆動信号
Ｖｄｅｔ  タッチ検出信号
【図１】
2014167619.tif 000003
【図２】
2014167619.tif 000004
【図３】
2014167619.tif 000005
【図４】
2014167619.tif 000006
【図５】
2014167619.tif 000007
【図６】
2014167619.tif 000008
【図７】
2014167619.tif 000009
【図８】
2014167619.tif 000010
【図９】
2014167619.tif 000011
【図１０】
2014167619.tif 000012
【図１１】
2014167619.tif 000013
【図１２】
2014167619.tif 000014
【図１３】
2014167619.tif 000015
【図１４】
2014167619.tif 000016
【図１５】
2014167619.tif 000017
【図１６】
2014167619.tif 000018
【図１７】
2014167619.tif 000019
【図１８】
2014167619.tif 000020
【図１９】
2014167619.tif 000021
【図２０】
2014167619.tif 000022
【図２１】
2014167619.tif 000023
【図２２】
2014167619.tif 000024
【図２３】
2014167619.tif 000025
【図２４】
2014167619.tif 000026
【図２５】
2014167619.tif 000027
【図２６】
2014167619.tif 000028
【図２７】
2014167619.tif 000029
【図２８】
2014167619.tif 000030
【図２９】
2014167619.tif 000031
【図３０】
2014167619.tif 000032
【図３１】
2014167619.tif 000033
【図３２】
2014167619.tif 000034
【図３３】
2014167619.tif 000035
【図３４】
2014167619.tif 000036
【図３５】
2014167619.tif 000037
【図３６】
2014167619.tif 000038
【図３７】
2014167619.tif 000039
【図３８】
2014167619.tif 000040
【図３９】
2014167619.tif 000041